(57)【要約】第1の識別情報はコアネットワークのサポートするモビリティタイプを示す情報であって、第2の識別情報は前記コアネットワークに許可されたモビリティタイプを示す情報であって、本発明の端末装置の通信制御方法は、少なくとも前記第1の識別情報及び/又は前記第2の識別情報を含んだアタッチ受諾メッセージを、基地局装置を介してコアネットワークから受信するステップを有する。これにより、端末のモビリティタイプを決定するための好適な通信手続きを提供することとなる。
2017141990.tif 000002
【特許請求の範囲】
【請求項１】
端末装置の通信制御方法であって、
第1の識別情報はコアネットワークのサポートするモビリティタイプを示す情報であって、
第2の識別情報は前記コアネットワークに許可されたモビリティタイプを示す情報であって、
少なくとも前記第1の識別情報及び/又は前記第2の識別情報を含んだアタッチ受諾メッセージを、基地局装置を介してコアネットワークから受信するステップ
を有することを特徴とする端末装置の通信制御方法。
【請求項２】
前記アタッチ受諾メッセージの受信に基づいて、前記第2の識別情報の示すモビリティタイプに対応した第1のPDN(Packet Data Network)コネクションを確立するステップ
を更に有することを特徴とする請求項1に記載の端末装置の通信制御方法。
【請求項３】
第3の識別情報は前記端末装置がサポートするモビリティタイプを示す情報であって、
第4の識別情報は前記端末装置が要求するモビリティタイプを示す情報であって、
少なくとも前記第3の識別情報及び/又は前記第4の識別情報を含んだアタッチ要求メッセージを、前記基地局装置を介して前記コアネットワークに送信するステップ
を更に有することを特徴とする請求項1又は2に記載の端末装置の通信制御方法。
【請求項４】
第5の識別情報は前記コアネットワークに許可されたモビリティタイプを示す情報であり、且つ前記第1の識別情報とは異なるモビリティタイプであって、
少なくとも前記第1の識別情報及び/又は前記第5の識別情報を含んだデフォルトEPSベアラコンテキストアクティブ化要求メッセージを、前記基地局装置を介して前記コアネットワークから受信するステップと、
前記第5の識別情報の示すモビリティタイプに対応した第2のPDNコネクションを確立するステップ
を更に有することを特徴とする請求項2に記載の端末装置の通信制御方法。
【請求項５】
前記第1のPDNコネクションに対するモビリティタイプを変更するために、少なくとも前記第1の識別情報及び/又は前記2の識別情報とは異なるモビリティタイプを含むEPSベアラコンテキスト変更要求を、前記基地局装置を介して前記コアネットワークから受信するステップ
を更に有することを特徴とする請求項2に記載の端末装置の通信制御方法。
【請求項６】
前記第1のPDNコネクションに対するモビリティタイプを変更するために、少なくとも前記第1の識別情報及び/又は前記2の識別情報とは異なるモビリティタイプを含むベアラリソース変更要求を、前記基地局装置を介して前記コアネットワークに送信するステップ
を更に有することを特徴とする請求項2に記載の端末装置の通信制御方法。
【請求項７】
MME(Mobility Management Entity)の通信制御方法であって、
第1の識別情報はコアネットワークのサポートするモビリティタイプを示す情報であって、
第2の識別情報は前記コアネットワークが許可するモビリティタイプを示す情報であって、
少なくとも前記第1の識別情報及び/又は前記第2の識別情報を含んだアタッチ受諾メッセージを、基地局装置を介して端末装置に送信するステップ
を有することを特徴とするMMEの通信制御方法。
【請求項８】
前記アタッチ受諾メッセージの受信に基づいて前記端末装置が確立する第1のPDN(Packet Data Network)コネクションと、前記第2の識別情報の示すモビリティタイプとを対応づけて記憶するステップ
を更に有することを特徴とする請求項7に記載のMMEの通信制御方法。
【請求項９】
第3の識別情報は前記端末装置がサポートするモビリティタイプを示す情報であって、
第4の識別情報は前記端末装置が要求するモビリティタイプを示す情報であって、
少なくとも前記第3の識別情報及び/又は前記第4の識別情報を含んだアタッチ要求メッセージを、前記基地局装置を介して前記端末装置から受信するステップ
を更に有することを特徴とする請求項7又は8に記載のMMEの通信制御方法。
【請求項１０】
第5の識別情報は前記コアネットワークが許可するモビリティタイプを示す情報であり、且つ前記第1の識別情報とは異なるモビリティタイプであって、
少なくとも前記第1の識別情報及び/又は前記第5の識別情報を含んだデフォルトEPSベアラコンテキストアクティブ化要求メッセージを、前記基地局装置を介して前記端末装置に送信するステップと、
前記デフォルトEPSベアラコンテキストアクティブ化要求メッセージに基づいて前記端末装置が確立する第2のPDNコネクションと、前記第5の識別情報とを対応づけて記憶するステップ
を更に有することを特徴とする請求項8に記載のMMEの通信制御方法。
【請求項１１】
前記第1のPDNコネクションに対するモビリティタイプを変更するために、少なくとも前記第1の識別情報及び/又は前記2の識別情報とは異なるモビリティタイプを含むEPSベアラコンテキスト変更要求を、前記基地局装置を介して前記端末装置に送信するステップ
を更に有することを特徴とする請求項8に記載のMMEの通信制御方法。
【請求項１２】
前記第1のPDNコネクションに対するモビリティタイプを変更するために、少なくとも前記第1の識別情報及び/又は前記2の識別情報とは異なるモビリティタイプを含むベアラリソース変更要求を、前記基地局装置を介して前記端末装置から受信するステップ
を更に有することを特徴とする請求項8に記載のMMEの通信制御方法。
【請求項１３】
端末装置であって、
第1の識別情報はコアネットワークのサポートするモビリティタイプを示す情報であって、
第2の識別情報は前記コアネットワークに許可されたモビリティタイプを示す情報であって、
少なくとも前記第1の識別情報及び/又は前記第2の識別情報を含んだアタッチ受諾メッセージを、基地局装置を介してコアネットワークから受信する送受信部
を有することを特徴とする端末装置。
【請求項１４】
前記アタッチ受諾メッセージの受信に基づいて、前記第2の識別情報の示すモビリティタイプに対応した第1のPDN(Packet Data Network)コネクションを確立する制御部
を更に有することを特徴とする請求項13に記載の端末装置。
【請求項１５】
第3の識別情報は前記端末装置がサポートするモビリティタイプを示す情報であって、
第4の識別情報は前記端末装置が要求するモビリティタイプを示す情報であって、
前記送受信部は、少なくとも前記第3の識別情報及び/又は前記第4の識別情報を含んだアタッチ要求メッセージを、前記基地局装置を介して前記コアネットワークに送信する
ことを特徴とする請求項13又は14に記載の端末装置。
【請求項１６】
第5の識別情報は前記コアネットワークに許可されたモビリティタイプを示す情報であり、且つ前記第1の識別情報とは異なるモビリティタイプであって、
前記送受信部は、少なくとも前記第1の識別情報及び/又は前記第5の識別情報を含んだデフォルトEPSベアラコンテキストアクティブ化要求メッセージを、前記基地局を介して前記コアネットワークから受信し、
前記制御部は、前記第5の識別情報の示すモビリティタイプに対応した第2のPDNコネクションを確立する
ことを特徴とする請求項14に記載の端末装置。
【請求項１７】
前記送受信部は、前記第1のPDNコネクションに対するモビリティタイプを変更するために、少なくとも前記第1の識別情報及び/又は前記2の識別情報とは異なるモビリティタイプを含むEPSベアラコンテキスト変更要求を、前記基地局装置を介して前記コアネットワークから受信する
ことを特徴とする請求項14に記載の端末装置。
【請求項１８】
前記送受信部は、前記第1のPDNコネクションに対するモビリティタイプを変更するために、少なくとも前記第1の識別情報及び/又は前記2の識別情報とは異なるモビリティタイプを含むベアラリソース変更要求を、前記基地局装置を介して前記コアネットワークに送信する
ことを特徴とする請求項14に記載の端末装置。
【請求項１９】
MME(Mobility Management Entity)であって、
第1の識別情報はコアネットワークのサポートするモビリティタイプを示す情報であって、
第2の識別情報は前記コアネットワークが許可するモビリティタイプを示す情報であって、
少なくとも前記第1の識別情報及び/又は前記第2の識別情報を含んだアタッチ受諾メッセージを、基地局装置を介して端末装置に送信する送受信部
を有することを特徴とするMME。
【請求項２０】
前記アタッチ受諾メッセージの受信に基づいて前記端末装置が確立する第1のPDN(Packet Data Network)コネクションと、前記第2の識別情報の示すモビリティタイプとを対応づけて記憶する制御部
を更に有することを特徴とする請求項19に記載のMME。
【請求項２１】
第3の識別情報は前記端末装置がサポートするモビリティタイプを示す情報であって、
第4の識別情報は前記端末装置が要求するモビリティタイプを示す情報であって、
前記送受信部は、少なくとも前記第3の識別情報及び/又は前記第4の識別情報を含んだアタッチ要求メッセージを、前記基地局装置を介して前記端末装置から受信する
ことを特徴とする請求項19又は20に記載のMME。
【請求項２２】
第5の識別情報は前記コアネットワークが許可するモビリティタイプを示す情報であり、且つ前記第1の識別情報とは異なるモビリティタイプであって、
前記送受信部は、少なくとも前記第1の識別情報及び/又は前記第5の識別情報を含んだデフォルトEPSベアラコンテキストアクティブ化要求メッセージを、前記基地局装置を介して前記端末装置に送信し、
前記制御部は、前記デフォルトEPSベアラコンテキストアクティブ化要求メッセージに基づいて前記端末装置が確立する第2のPDNコネクションと、前記第5の識別情報とを対応づけて記憶する
ことを特徴とする請求項20に記載のMME。
【請求項２３】
前記送受信部は、前記第1のPDNコネクションに対するモビリティタイプを変更するために、少なくとも前記第1の識別情報及び/又は前記2の識別情報とは異なるモビリティタイプを含むEPSベアラコンテキスト変更要求を、前記基地局装置を介して前記端末装置に送信する
ことを特徴とする請求項20に記載のMME。
【請求項２４】
前記送受信部は、前記第1のPDNコネクションに対するモビリティタイプを変更するために、少なくとも前記第1の識別情報及び/又は前記2の識別情報とは異なるモビリティタイプを含むベアラリソース変更要求を、前記基地局装置を介して前記端末装置から受信する
ことを特徴とする請求項20に記載のMME。
【発明の詳細な説明】
【技術分野】
【０００１】
本発明は、端末装置、MME(Mobility Management Entity)、及び通信制御方法に関する。
【背景技術】
【０００２】
近年の移動通信システムの標準化活動を行う3GPP(The 3rd Generation Partnership Project)は、LTE(Long Term Evolution)のシステムアーキテクチャであるSAE(System Architecture Enhancement)の検討を行っている。3GPPは、オールIP化を実現する通信システムとしてEPS(Evolved Packet System)の仕様化を行っている。なお、EPSを構成するコアネットワークはEPC(Evolved Packet Core)と呼ばれる。【０００３】
また、近年3GPPでは、多種多様な端末向けの次世代通信技術の検討として、NexGen(Architecture for Next Generation System)の検討を行っている。NexGenでは、多種多様な端末をセルラーネットワークに接続するための技術課題を抽出し、解決策を仕様化している。【０００４】
例えば、高速通信が必要な端末のための通信手続きの最適化や、バッテリーが数年間維持できるような電力消費の高効率化が必要な端末のための通信手続きの最適化が要求条件として挙げられる。【０００５】
また、固定されているような移動頻度が少ない端末や、自動車等に備え付けられたような移動頻度が多い端末を同時にサポートするためのモビリティの最適化や多様化なども要求条件として挙げられる。
【先行技術文献】
【非特許文献】
【０００６】
【非特許文献１】3rd Generation Partnership Project;Technical Specification Group Services and System Aspects;Study on Architecture for Next Generation System(Release 14)
【発明の概要】
【発明が解決しようとする課題】
【０００７】
NexGenでは、端末のモビリティの最適化のための検討が行われている。【０００８】
より具体的には、端末のモビリティの粒度を多様化することで、端末に適した粒度のモビリティを提供するための検討行われている。【０００９】
しかし、端末のモビリティの粒度や、端末に適したモビリティの粒度が選択される手順、モビリティの粒度を変更する手段が明らかになっていない。【００１０】
本発明は、このような事情を鑑みてなされたもので、その目的は、端末や通信路に好適なモビリティを提供する通信制御手段を提供する事である。
【課題を解決するための手段】
【００１１】
上記の目的を達成するために、本発明の端末装置の通信制御方法は、第1の識別情報はコアネットワークのサポートするモビリティタイプを示す情報であって、第2の識別情報は前記コアネットワークに許可されたモビリティタイプを示す情報であって、少なくとも前記第1の識別情報及び/又は前記第2の識別情報を含んだアタッチ受諾メッセージを、基地局装置を介してコアネットワークから受信するステップを有する。【００１２】
また、本発明のMME(Mobility Management Entity)の通信制御方法は、第1の識別情報はコアネットワークのサポートするモビリティタイプを示す情報であって、第2の識別情報は前記コアネットワークが許可するモビリティタイプを示す情報であって、少なくとも前記第1の識別情報及び/又は前記第2の識別情報を含んだアタッチ受諾メッセージを、基地局装置を介して端末装置に送信するステップを有する。【００１３】
また、本発明の端末装置は、第1の識別情報はコアネットワークのサポートするモビリティタイプを示す情報であって、第2の識別情報は前記コアネットワークに許可されたモビリティタイプを示す情報であって、少なくとも前記第1の識別情報及び/又は前記第2の識別情報を含んだアタッチ受諾メッセージを、基地局装置を介してコアネットワークから受信する送受信部を有する。【００１４】
また、本発明のMME(Mobility Management Entity)は、第1の識別情報はコアネットワークのサポートするモビリティタイプを示す情報であって、第2の識別情報は前記コアネットワークが許可するモビリティタイプを示す情報であって、少なくとも前記第1の識別情報及び/又は前記第2の識別情報を含んだアタッチ受諾メッセージを、基地局装置を介して端末装置に送信する送受信部を有する。
【発明の効果】
【００１５】
本発明によれば、端末は、モビリティ能力に応じた接続性を確立することができる。またコアネットワークは、異なるモビリティ能力を有する端末の接続、もしくは異なるモビリティ能力を有する通信路を確立することができる。
【図面の簡単な説明】
【００１６】
【図１】移動通信システムの概略を説明するための図である。
【図２】IP移動通信ネットワークの構成等の一例を説明するための図である。
【図３】IP移動通信ネットワークの構成等の一例を説明するための図である。
【図４】eNBの装置構成を説明するための図である。
【図５】PDNコネクション確立状態を説明するための図である。
【図６】MMEの装置構成を説明するための図である。
【図７】MMEの記憶部を説明するための図である。
【図８】MMEの記憶部を説明するための図である。
【図９】MMEの記憶部を説明するための図である。
【図１０】MMEの記憶部を説明するための図である。
【図１１】MMEの記憶部を説明するための図である。
【図１２】MMEの記憶部を説明するための図である。
【図１３】SGWの装置構成を説明するための図である。
【図１４】SGWの記憶部を説明するための図である。
【図１５】SGWの記憶部を説明するための図である。
【図１６】PGWの装置構成を説明するための図である。
【図１７】PGWの記憶部を説明するための図である。
【図１８】PGWの記憶部を説明するための図である。
【図１９】PGWの記憶部を説明するための図である。
【図２０】UEの装置構成を説明するための図である。
【図２１】UEの記憶部を説明するための図である。
【図２２】通信手続きの概要を説明するための図である。
【図２３】PDN接続手続きを説明するための図である。
【図２４】第1のモビリティタイプ変更手続き例を説明するための図である。
【図２５】第2のモビリティタイプ変更手続き例を説明するための図である。
【発明を実施するための形態】
【００１７】
以下、図面を参照して本発明を実施する為に最良の形態について説明する。なお、本実施形態では一例として、本発明を適用した場合の移動通信システムの実施形態について説明する。
【００１８】
[1.実施形態]
[1.1.システム概要]
図1は、本実施形態における移動通信システムの概略を説明するための図である。本図に示すように、移動通信システム1は、移動端末装置UE_A10とeNB_A45とコアネットワーク_A90とPDN_A5により構成されている。
【００１９】
ここで、UE_A10は無線接続可能な端末装置であればよく、UE(User equipment)又は、ME(Mobile equipment)又はMS(Mobile Station)であってよい。
【００２０】
また、UE_A10は、CIoT端末であってもよい。なお、CIoT端末とはコアネットワークA90へ接続可能なIoT端末であり、IoT端末とは、スマートフォン等の携帯電話端末を含み、パソコンやセンサー装置などの様々なIT機器であってよい。
【００２１】
つまり、UE_A10がCIoT端末である場合、UE_A10はUE_A10のポリシー又はネットワークからの要求に基づいてCIoT端末のために最適化された接続を要求してもよいし、従来の接続を要求してもよい。又は、UE_A10は、出荷時に予めCIoT端末のために最適化された通信手続きによってのみコアネットワーク_A90に接続する端末装置として設定されてもよい。
【００２２】
ここで、コアネットワーク_A90は、移動通信事業者(Mobile Operator)が運用するIP移動通信ネットワークのことである。
【００２３】
例えば、コアネットワーク_A90は移動通信システム1を運用、管理する移動通信事業者のためのコアネットワークであってもよい、又はMVNO(Mobile Virtual Network Operator)などの仮想移動通信事業者のためのコアネットワークであってよい。又は、コアネットワーク_A90はCIoT端末を収容する為のコアネットワークであってもよい。
【００２４】
また、eNB_A45はUE_A10がコアネットワーク_A90に接続するために用いられる無線アクセスネットワークを構成する基地局である。つまり、UE_A10はeNB_A45を用いてコアネットワーク_A90に接続する。
【００２５】
また、コアネットワーク_A90はPDN_A5に接続されている。PDN_A5とは、UE_A10に通信サービスを提供するパケットデータサービス網であり、サービス毎に構成してもよい。PDNには、通信端末が接続されており、UE_A10はPDN_A5に配置された通信端末とユーザデータの送受信を行うことができる。
【００２６】
なお、ユーザデータとは、UE_A10とPDN_A5に含まれる装置との間で送受信するデータであってよい。なお、UE_A10はコアネットワーク_A90を介してPDN_A5にユーザデータを送信する。言い換えると、UE_A10はPDN_A5にユーザデータを送受信するために、コアネットワーク_A90とユーザデータを送受信する。より具体的には、UE_A10はPDN_A5にユーザデータを送受信するために、PGW_A30やC-SGN_A95等のコアネットワーク_A90内のゲートウェイ装置とユーザデータの送受信を行う。
【００２７】
次に、コアネットワーク_A90の構成例を説明する。本実施形態では2つのコアネットワーク_A90の構成例を説明する。
【００２８】
図2にコアネットワーク_90の構成の一例を示す。図2(a)のコアネットワーク_A90は、HSS(Home Subscriber Server)_A50、AAA(Authentication、 Authorization、 Accounting)_A55、PCRF(Policy and Charging Rules Function)_A60、PGW(Packet Data Network Gateway)_A30、ePDG(enhanced Packet Data Gateway)_A65、SGW(Serving Gateway)_A35、MME(Mobility Management Entity)_A40、SGSN(Serving GPRS Support Node)_A42により構成される。
【００２９】
また、コアネットワーク_A90は、複数の無線アクセスネットワーク(LTE AN_A80、WLAN ANb75、WLAN ANa70、UTRAN_A20、GERAN_A25)に接続することができる。
【００３０】
無線アクセスネットワークは、複数の異なるアクセスネットワークに接続して構成してもよいし、いずれか一つのアクセスネットワークに接続した構成であってもよい。さらに、UE_A10は無線アクセスネットワークに無線接続することができる。
【００３１】
さらに、WLANアクセスシステムで接続可能なアクセスネットワークは、ePDG_A65を介してコアネットワークへ接続するWLANアクセスネットワークb(WLAN ANb75)と、PGW_AとPCRF_A60とAAA_A55とに接続するWLANアクセスネットワークa(WLAN ANa75)とが構成可能である。
【００３２】
なお、各装置はEPSを利用した移動通信システムにおける従来の装置と同様に構成されるため、詳細な説明は省略する。以下、各装置の簡単な説明をする。
【００３３】
PGW_A30はPDN_A5とSGW_A35とePDG_A65とWLAN ANa70と、PCRF_A60とAAA_A55とに接続されており、PDN_A5とコアネットワーク_A90のゲートウェイ装置としてユーザデータの転送を行う中継装置である。
【００３４】
SGW_A35は、PGW30とMME_A40とLTE AN80とSGSN_A42とUTRAN_A20とに接続されており、コアネットワーク_A90と3GPPのアクセスネットワーク(UTRAN_A20、GERAN_A25、LTE AN_A80)とのゲートウェイ装置としてユーザデータの転送を行う中継装置である。
【００３５】
MME_A40は、SGW_A35とLTE AN80とHSS_A50に接続されており、LTE AN80を経由してUE_A10の位置情報管理と、アクセス制御を行うアクセス制御装置である。また、コアネットワーク_A90には、複数の位置管理装置が含まれて構成されてよい。例えば、MME_A40とは異なる位置管理装置が構成されてもよい。MME_A40とは異なる位置管理装置はMME_A40と同様にSGW_A35とLTE AN80と、HSS_A50と接続されてよい。
【００３６】
また、コアネットワーク_A90内に複数のMMEが含まれている場合、MME同士が接続されてもよい。これにより、MME間で、UE_A10のコンテキストの送受信が行われてもよい。
【００３７】
HSS_A50はMME_A40とAAA_A55とに接続されており、加入者情報の管理を行う管理ノードである。HSS_A50の加入者情報は、例えばMME_A40のアクセス制御の際に参照される。さらに、HSS_A50は、MME_A40とは異なる位置管理装置と接続されていてもよい。
【００３８】
AAA_A55は、PGW30と、HSS_A50と、PCRF_A60と、WLAN ANa70とに接続されており、WLAN ANa70を経由して接続するUE_A10のアクセス制御を行う。
【００３９】
PCRF_A60は、PGW_A30と、WLAN ANa75と、AAA_A55と、PDN_A5に接続されており、データ配送に対するQoS管理を行う。例えば、UE_A10とPDN_A5間の通信路のQoSの管理を行う。
【００４０】
ePDG_A65は、PGW30と、WLAN ANb75とに接続されており、コアネットワーク_A90と、WLAN ANb75とのゲートウェイ装置としてユーザデータの配送を行う。
【００４１】
SGSN_A42は、UTRAN_A20とGERAN_A25とSGW_A35と接続されており、3G/2Gのアクセスネットワーク(UTRAN/GERAN)とLTEのアクセスネットワーク(E-UTRAN)間の位置管理のための制御装置である。更に、SGSN_A42は、PGW及びSGWの選択機能、UEのタイムゾーンの管理機能、及びE-UTRANへのハンドオーバー時のMMEの選択機能を持つ。
【００４２】
また、図2(b)に示すように、各無線アクセスネットワークには、UE_A10が実際に接続される装置(例えば、基地局装置やアクセスポイント装置)等が含まれている。接続に用いられる装置は、無線アクセスネットワークに適応した装置が考えられる。
【００４３】
本実施形態においては、LTE AN80はeNB_A45を含んで構成される。eNB_A45はLTEアクセスシステムでUE_A10が接続する無線基地局であり、LTE AN_A80には1又は複数の無線基地局が含まれて構成されてよい。
【００４４】
WLAN ANa70はWLAN APa72と、TWAG_A74とが含まれて構成される。WLAN APa72はコアネットワーク_A90を運営する事業者に対して信頼性のあるWLANアクセスシステムでUE_A10が接続する無線基地局であり、WLAN ANa70には1又は複数の無線基地局が含まれて構成されてよい。TWAG_A74はコアネットワーク_A90とWLAN ANa70のゲートウェイ装置である。また、WLAN APa72とTWAG_A74とは、単一の装置で構成されてもよい。
【００４５】
コアネットワーク_A90を運営する事業者とWLAN ANa70を運営する事業者が異なる場合でも、事業者間の契約や規約によりこのような構成での実現が可能となる。
【００４６】
また、WLAN ANb75はWLAN APb76を含んで構成される。WLAN APb76はコアネットワーク_A90を運営する事業者に対して信頼関係が結ばれていない場合に、WLANアクセスシステムでUE_A10が接続する無線基地局であり、WLAN ANb75には1又は複数の無線基地局が含まれて構成されてよい。
【００４７】
このように、WLAN ANb75はコアネットワーク_A90に含まれる装置であるePDG_A65をゲートウェイとしてコアネットワーク_A90に接続される。ePDG_A65は安全性を確保するためのセキュリティー機能を持つ。
【００４８】
UTRAN_A20は、RNC(Radio Network Controller)_A24とeNB(UTRAN)_A22を含んで構成される。eNB(UTRAN)_A22は、UTRA(UMTS Terrestrial Radio Access)でUE_A10が接続する無線基地局であり、UTRAN_A20には1又は複数の無線基地局が含まれて構成されてよい。またRNC_A24は、コアネットワーク_A90とeNB(UTRAN)_A22を接続する制御部であり、UTRAN_A20には1又は複数のRNCが含まれて構成されてよい。また、RNC_A24は1つ又は複数のeNB(UTRAN)_A22と接続されてよい。更に、RNC_A24は、GERAN_A25に含まれる無線基地局(BSS(Base Station Subsystem)_A26)と接続されてよい。
【００４９】
GERAN_A25は、BSS_A26を含んで構成される。BSS_A26は、GERA(GSM(登録商標)/EDGE Radio Access)でUE_A10が接続する無線基地局であり、GERAN_A25には1又は複数の無線基地局BSSで構成されてもよい。また、複数のBSSは互いに接続しあっていてよい。またBSS_A26はRNC_A24と接続してもよい。
【００５０】
次に、第2のコアネットワーク_A90の構成の一例を説明する。例えば、UE_A10がCIoT端末である場合、コアネットワーク_A90は図3(a)に示す構成であってもよい。図3(a)のコアネットワーク_A90は、C-SGN(CIoT Serving Gateway Node)_A95とHSS_A50とで構成される。なお、図2と同様に、コアネットワーク_A90は、LTE以外のアクセスネットワークとの接続性を提供するために、AAA_A55及び/又はPCRF_A60及び/又はePDG_A65及び/又はSGSN_A42がコアネットワーク_A90に含まれてもよい。
【００５１】
C-SGN_A95は、図2のMME_A40とSGW_A35とPGW_A30の機能の一部又は全てを担うノードであってよい。C-SGN_A95はCIoT端末の接続性の確立や切断、モビリティ等を管理するノードであってよい。
【００５２】
つまり、C-SGN_A95は、PDN_Aとコアネットワーク_A90間のゲートウェイ装置機能及び、コアネットワーク_A90とCIOT AN_A100間のゲートウェイ装置機能及び、UE_A10の位置管理機能を有していてよい。
【００５３】
図に示すように、UE_A10は無線アクセスネットワークCIOT AN_A100を介して、コアネットワーク_A90に接続する。
【００５４】
図3(b)にCIOT AN_A100の構成を示す。図に示すようにCIOT AN_A100にはeNB_A45が含まれて構成されてよい。CIOT AN_A100に含まれるeNB_A45は、LTE AN_A80に含まれるeNB_A45と同じ基地局であってよい。又は、CIOT AN_A100に含まれるeNB_A45は、LTE AN_A80に含まれるeNB_A45と異なる、CIoT端末を収容する基地局であってよい。
【００５５】
なお、第1のコアネットワーク及び／又は第2のコアネットワークは、IoTのために最適化されたシステムで構成されてよい。
【００５６】
なお、本明細書において、UE_A10が各無線アクセスネットワークに接続されるという事は、各無線アクセスネットワークに含まれる基地局装置やアクセスポイント等に接続される事であり、送受信されるデータや信号等も、基地局装置やアクセスポイントを経由している。
【００５７】
[1.2.装置の構成]
以下、各装置の構成について説明する。
【００５８】
[1.2.1.eNBの構成]
以下、eNB_A45の構成について説明する。図4はeNB_A45の装置構成を示す。図に示すように、eNB_A45はネットワーク接続部_A420と、送受信部_A430と、制御部_A400と記憶部_A440で構成されている。ネットワーク接続部_A420と送受信部_A430と記憶部_A440は制御部_A400と、バスを介して接続されている。
【００５９】
制御部_A400はeNB_A45を制御するための機能部である。制御部_A400は、記憶部_A440に記憶されている各種プログラムを読みだして実行することにより各種処理を実現する。
【００６０】
ネットワーク接続部_A420は、eNB_A45がMME_A40及び/又はSGW_A35と接続するための機能部である。さらに、ネットワーク接続部_A420は、eNB_A45がMME_A40及び/又はSGW_A35からユーザデータ及び／又は制御データを送受信する送受信機能部である。
【００６１】
送受信部_A430は、eNB_A45がUE_A10と接続するための機能部である。さらに、送受信部_A430は、UE_A10からユーザデータ及び／又は制御データを送受信する送受信機能部である。また、送受信部_A430には、外部アンテナ_A410が接続されている。
【００６２】
記憶部_A440は、eNB_A45の各動作に必要なプログラムや、データなどを記憶する機能部である。記憶部640は、例えば、半導体メモリや、HDD(Hard Disk Drive)等により構成されている。
【００６３】
記憶部_A440は、少なくとも、後述する通信手続き内で送受信する制御メッセージに含まれる識別情報及び／又は制御情報及び／又はフラグ及び／又はパラメータを記憶してもよい。
【００６４】
[1.2.2.MMEの構成]
以下、MME_A40の構成について説明する。図6(a)はMME_A40の装置構成を示す。図に示すように、MME_A40はネットワーク接続部_B620と、制御部_B600と記憶部_B640で構成されている。ネットワーク接続部_B620と記憶部_B640は制御部_B600と、バスを介して接続されている。
【００６５】
制御部_B600はMME_A40を制御するための機能部である。制御部_B600は、記憶部_B640に記憶されている各種プログラムを読みだして実行することにより各種処理を実現する。
【００６６】
ネットワーク接続部_B620は、MME_A40が、eNB_A45及び/又はHSS_A50及び/又はSGW_A35と接続するための機能部である。さらに、ネットワーク接続部_B620は、MME_A40が、eNB_A45及び/又はHSS_A50及び/又はSGW_A35からユーザデータ及び／又は制御データを送受信する送受信機能部である。
【００６７】
記憶部_B640は、MME_A40の各動作に必要なプログラムや、データなどを記憶する機能部である。記憶部_B640は、例えば、半導体メモリや、HDD(Hard Disk Drive)等により構成されている。
【００６８】
記憶部_B640は、少なくとも、後述する通信手続き内で送受信する制御メッセージに含まれる識別情報及び／又は制御情報及び／又はフラグ及び／又はパラメータを記憶してもよい。
【００６９】
記憶部_B640は、図に示すように、MMEコンテキスト642と、セキュリティーコンテキスト648、MME緊急構成データ650を記憶する。なお、MMEコンテキストは、MMコンテキスト644と、EPSベアラコンテキスト646により構成される。又は、MMEコンテキストはEMMコンテキストとESMコンテキストで構成されてもよい。MMコンテキスト644とはEMMコンテキストの事であり、EPSベアラコンテキスト646はESMコンテキストの事であってもよい。
【００７０】
図7(b)、図8(b)、図9(b)にUEごとに記憶されるMMEコンテキストの情報要素を示す。図に示すように、UEごとに記憶されるMMEコンテキストは、IMSI、IMSI-unauthenticated-indicator、MSISDN、MM State、GUTI、ME Identity、Tracking Area List、TAI of last TAU、ECGI(E-UTRAN Cell Global Identity)、E-UTRAN Cell Identity Age、CSG ID、CSG membership、Access mode、Authentication Vector、UE Radio Access Capability、MS Classmark 2、MS Classmark 3、Supported Codecs、UE Network Capability、MS Network Capability、UE Specific DRX Parameters、Selected NAS Algorithm、eKSI、K_ASME、NAS Keys and COUNT、Selected CN operator ID、Recovery、Access Restriction、ODB for PS parameters、APN-OI Replacement、MME IP address for S11、MME TEID for S11、S‐GW IP address for S11/S4、S GW TEID for S11/S4、SGSN IP address for S3、SGSN TEID for S3、eNodeB Address in Use for S1-MME、eNB UE S1AP ID、MME UE S1AP ID、Subscribed UE-AMBR、UE-AMBR、EPS Subscribed Charging Characteristics、Subscribed RFSP Index、RFSP Index in Use、Trace reference、Trace type、Trigger ID、OMC identity、URRP-MME、CSG Subscription Data、LIPA Allowed、Subscribed Periodic RAU/TAU Timer、MPS CS priority、MPS EPS priority、Voice Support Match Indicator、Homogenous Support of IMS Voice over PS Sessionsを含む。
【００７１】
また、UEごとのMMEコンテキストは、モビリティタイプ(Mobility Type)を含んでもよい。
【００７２】
IMSIは、ユーザの永久的な識別情報である。HSS_A50が記憶するIMSIと等しい。
【００７３】
IMSI-unauthenticated-indicatorは、このIMSIが認証されていない事を示す指示情報である。
【００７４】
MSISDNは、UEの電話番号を表す。MSISDNはHSS_A50の記憶部により示される。
【００７５】
MM Stateは、MMEの移動管理(Mobility management)状態を示す。この管理情報は、eNBとコアネットワーク間の接続が解放されているECM-IDLE状態、eNBとコアネットワーク間の接続が解放されていないECM-CONNECTED状態、又はMMEがUEの位置情報を記憶していないEMM-DEREGISTERED状態を示す。
【００７６】
GUTI(Globally Unique Temporary Identity)は、UEの一時的な識別情報である。GUTIはMMEの識別情報(GUMMEI:Globally Unique MME Identifier)と特定MME内でのUEの識別情報(M-TMSI)により構成される。
【００７７】
ME Identity UEのIDであり、例えば、IMEI/IMISVであってもよい。
【００７８】
Tracking Area Listは、UEに割り当てたトラッキングエリア識別情報のリストである。
【００７９】
TAI of last TAUは、最近のトラッキングエリア更新手続きで示されたトラッキングエリア識別情報である。
【００８０】
ECGIは、MME_A40が知る最近のUEのセルの識別情報である。
【００８１】
E-UTRAN Cell Identity Ageは、MMEがECGIを取得してからの経過時間を示す。
【００８２】
CSG IDは、MMEが知る、最近のUEが動作したCSG(Closed Subscriber Group)の識別情報である。
【００８３】
CSG membershipは、MMEが知る最近のUEのCSGのメンバー情報である。CSG membershipは、UEがCSGメンバーであるかどうかを示す。
【００８４】
Access modeはECGIで識別されるセルのアクセスモードであり、ECGIがCSGとCSGではないUEの両方にアクセスを許可するハイブリッドであることを示す識別情報であってもよい。
【００８５】
Authentication VectorはMMEが従う、特定のUEの一時的なAKA(Authentication and Key Agreement)を示す。Authentication Vectorは、認証に用いるランダム値RAND、期待応答XRES、鍵K_ASME、ネットワークに認証された言語(トークン)AUTNで構成される。
【００８６】
UE Radio Access Capabilityは、UEの無線アクセス能力を示す識別情報である。
【００８７】
MS Classmark 2は、3G/2G(UTRAN/GERAN)のCSドメインのコアネットワークの分類記号(Classmark)である。MS Classmark 2は、UEがSRVCC(Single Radio Voice Call Continuity)をGERAN又はUTRANに対してサポートする場合に使用される。
【００８８】
MS Classmark 3は、GERANのCSドメインの無線ネットワークの分類記号(Classmark)である。MS Classmark 3は、UEがSRVCC(Single Radio Voice Call Continuity)をGERANに対してサポートする場合に使用される。
【００８９】
Supported Codecsは、CSドメインでサポートされるコードのリストである。このリストは、UEがSRVCCをGERAN又はUTRANに対してサポートする場合に使用される。
【００９０】
UE Network Capabilityは、UEにサポートされるセキュリティーのアルゴリズムと鍵派生関数を含める。
【００９１】
MS Network Capabilityは、GERAN及び/又はUTRAN機能をもつUEに対して、SGSNに必要な少なくとも一つの情報を含める情報である。
【００９２】
UE Specific DRX Parametersは、UEのDRX(Discontinuous Reception)サイクル長を決定するために用いるパラメータである。ここでDRXとは、UEのバッテリーの消費電力をなるべく少なくするために、ある一定時間通信がなければUEを低消費電力状態に切り替える機能である。
【００９３】
Selected NAS Algorithmは、NAS(Non-Access Stream)の選択されたセキュリティーアルゴリズムである。
【００９４】
eKSIは、K_ASMEを示す鍵の集合である。UTRAN又はE-UTRANのセキュリティー認証により取得したセキュリティー鍵を利用するかどうかを示してもよい。
【００９５】
K_ASMEは、暗号鍵CK(Cipher Key)と完全鍵IK(Integrity Key)に基づき生成される、E-UTRANの鍵階層化の鍵である。
【００９６】
NAS Keys and COUNTは、鍵K_NASintと、鍵K_NASencとNAS COUNTパラメータにより構成される。鍵K_NASintは、UEとMME間の暗号化のための鍵であり、鍵K_NASencは、UEとMME間の安全性保護のための鍵である。また、NAS COUNTはUEとMME間のセキュリティーが確立された、新しい鍵が設定された場合にカウントを開始する、カウントである。
【００９７】
Selected CN operator IDはオペレータ間でネットワークを共有するために使用する、選択されたコアネットワークオペレータの識別情報である。
【００９８】
Recoveryは、HSSがデータベースの復帰を行うかどうかを示す識別情報である。
【００９９】
Access Restrictionは、アクセス制限の登録情報である。
【０１００】
ODB for PS parametersは、ODB(operator determined barring)の状態を示す。ここでODBとは、通信事業者(オペレータ)が決定したアクセス規定である。
【０１０１】
APN-OI Replacementは、DNS解決を実行する為にPGW FQDNを構築する際の、APNに代わるドメイン名である。この代用のドメイン名はすべてのAPNに適応される。
【０１０２】
MME IP address for S11は、SGWとのインターフェースで用いられるMMEのIPアドレスである。
【０１０３】
MME TEID for S11は、SGWとのインターフェースで用いられるTEID(Tunnel Endpoint Identifier)である。
【０１０４】
S-GW IP address for S11/S4はMMEとSGW間又はSGSNとMME間のインターフェースで利用されるSGWのIPアドレスである。
【０１０５】
S GW TEID for S11/S4はMMEとSGW間又はSGSNとMME間のインターフェースで利用されるSGWのTEIDである。
【０１０６】
SGSN IP address for S3は、MMEとSGSN間でのインターフェースに用いるSGSNのIPアドレスである。
【０１０７】
SGSN TEID for S3は、MMEとSGSN間のインターフェースで用いるSGSNのTEIDである。
【０１０８】
eNodeB Address in Use for S1-MMEは、MMEとeNB間のインターフェースで最近用いられたeNBのIPアドレスである。
【０１０９】
eNB UE S1AP IDは、eNB内でのUEの識別情報である。
【０１１０】
MME UE S1AP IDは、MME内でのUEの識別情報である。
【０１１１】
Subscribed UE-AMBRは、ユーザの登録情報に従いすべてのNon-GBR(Guaranteed Bit Rate)ベアラ(非保障ベアラ)を共有するための上り通信及び下り通信のMBR(Maximum Bit Rate)の最大値を示す。
【０１１２】
UE-AMBRは、すべてのNon-GBRベアラ(非保障ベアラ)を共有するために、最近使用された上り通信及び下り通信のMBRの最大値を示す。
【０１１３】
EPS Subscribed Charging Characteristicsは、UEの課金特性を示す。例えば、EPS Subscribed Charging Characteristicsはノーマル、プリペイド、課金率固定、又は即時請求などの登録情報を示してもよい。
【０１１４】
Subscribed RFSP Indexは、HSSから取得したE-UTRAN内の特定のRRM構成のためのインデックスである。
【０１１５】
RFSP Index in Useは、最近使用されたE-UTRAN内の特定のRRM構成のためのインデックスである。
【０１１６】
Trace referenceは、特定のトレースの記録、又は記録の集合を識別する識別情報である。
【０１１７】
Trace typeは、トレースのタイプを示す。例えば、HSSがトレースをするタイプ、及び/又は、MMEやSGWやPGWがトレースするタイプを示してもよい。
【０１１８】
Trigger IDは、トレースを開始する構成要素を識別する識別情報である。
【０１１９】
OMC Identityは、トレースされた記録を受信したOMCを識別する識別情報である。
【０１２０】
URRP-MMEは、HSSによりMMEからのUE活動通知が要求された事を示す識別情報である。
【０１２１】
CSG Subscription Dataは、ローミング先のPLMN(VPLMN)CSG IDとローミング先の等価PLMNの関連リストである。CSG IDごとに、CSG IDの有効期限を示すexpiration dateや、有効期限がない事を示すabsent expiration dateと関連づけられていてもよい。CSG IDは、LIPAを介した特定のPDN接続に使われてもよい。
【０１２２】
LIPA Allowedは、UEはこのPLMNでLIPAを使用することが許可されているかどうかを示す  Subscribed Periodic RAU/TAU Timerは、定期的なRAU及び/又はTAUのタイマーである。
【０１２３】
MPS CS priorityは、UEがCSドメインでeMLPPか1x RTT優先サービスに登録されていることを示す。
【０１２４】
MPS EPS priorityは、EPSドメイン内でMPSに登録されていることを示す識別情報である。
【０１２５】
Voice Support Match Indicatorは、UEの無線能力がネットワーク構成と互換性があるかどうかを示す。例えば、UEによるSRVCCのサポートがネットワークの音声通話に対するサポートとマッチするかどうかを示す。
【０１２６】
Homogenous Support of IMS Voice over PS Sessions for MMEは、PSセッション上のIMS音声通話をサポートするかどうかを、UEごとに示す指示情報である。Homogenous Support of IMS Voice over PS Sessions for MMEは、MMEが管理する全てのTA(Tracking Area)でPS(Packet Switched: 回線交換)セッション上でのIMS(IP Multimedia Subsystem)音声通話をサポートする、「Supported」と、PSセッション上でのIMS音声通話をサポートするTAがない場合を示す「Not Supported」とがある。また、PSセッション上でのIMS音声通話をサポートが均一でない(サポートするTAとしないTAがMME内に混在する)場合や、サポートするかどうかが分からない場合、MMEはこの指示情報をHSSに通知しない。
【０１２７】
図10(c)に、PDNコネクションごとに記憶されるPDNコネクションごとのMMEコンテキストに含まれる情報要素を示す。図に示すように、PDNコネクションごとのMMEコンテキストは、APN in Use、APN Restriction、APN Subscribed、PDN Type、IP Address、EPS PDN Charging Characteristics、APN-OI Replacement、SIPTO permissions、Local Home Network ID、LIPA permissions、WLAN offloadability、VPLMN Address Allowed、PDN GW Address in Use(制御情報)、PDN GW TEID for S5/S8(制御情報)、MS Info Change Reporting Action、CSG Information Reporting Action、Presence Reporting Area Action、EPS subscribed QoS profile、Subscribed APN-AMBR、APN-AMBR、PDN GW GRE Key for uplink traffic(ユーザデータ)、Default bearer、low access priorityを含める。
【０１２８】
また、PDNコネクションごとのMMEコンテキストは、モビリティタイプ(Mobility Type)を含んでもよい。
【０１２９】
APN in Useは、最近使用されたAPNを示す。このAPNはAPNネットワークの識別情報と、デフォルトのオペレータの識別情報により構成される。
【０１３０】
APN Restrictionは、このベアラコンテキストに関連づけられたAPNに対する、APNのタイプの組み合わせの制限を示す。つまり、確立できるAPNの数とAPNのタイプを制限する情報である。
【０１３１】
APN SubscribedはHSSから受信した登録APNを意味する。
【０１３２】
PDN Typeは、IPアドレスのタイプを示す。例えば、PDN Typeは、IPv4、IPv6又はIPv4v6を示す。
【０１３３】
IP Addressは、IPv4アドレスかIPv6 Prefixを示す。なお、IPアドレスはIPv4とIPv6のprefixの両方を記憶してもよい。
【０１３４】
EPS PDN Charging Characteristicsは、課金特性を示す。EPS PDN Charging Characteristicsは例えば、ノーマル、プリペイド、課金率固定、又は即時請求を示してよい。
【０１３５】
APN-OI Replacementは、UEごとに登録されているAPN-OI Replacementと同様の役割をもつAPNの代理ドメイン名である。ただし、UEごとのAPN-OI Replacementより優先度が高い。
【０１３６】
SIPTO permissionsはこのAPNを用いたトラフィックのSIPTO(Selected IP Traffic Offload)に対する許可情報を示す。具体的には、SIPTO permissionsは、SIPTOを用いる事を禁止する、又はローカルネットワーク以外でのSIPTOの利用を許可する、又はローカルネットワークを含めるネットワークでのSIPTOの利用を許可する、又はローカルネットワークのみSIPTOの利用を許可する、ことを識別する。
【０１３７】
Local Home Network IDは、ローカルネットワークを用いたSIPTO(SIPTO@LN)の利用が可能である場合、基地局が属するホームネットワークの識別情報を示す。
【０１３８】
LIPA permissionsは、このPDNがLIPAを介したアクセスが可能かどうかを示す識別情報である。具体的には、LIPA permissionsは、LIPAを許可しないLIPA-prohibited、又はLIPAのみ許可する、LIPA-only、条件によりLIPAを許可するLIPA-conditionalであってよい。
【０１３９】
WLAN offload abilityは、このAPNで接続されたトラフィックは、無線ランと3GPP間の連携機能を用いて、無線ランにオフロードできるか、又は3GPPの接続を維持するのかを示す識別情報である。WLAN offload abilityは、RATタイプごとに分かれていてもよい。具体的には、LTE(E-UTRA)と3G(UTRA)とで異なったWLAN offload abilityが存在してもよい。
【０１４０】
VPLMN Address Allowedは、UEがこのAPNを用いた接続が、ローミング先のPLMN(VPLMN)ではHPLMNのドメイン(IPアドレス)PGWのみを使用することが許可されるのか、又はVPLMNのドメイン内のPGWを追加されるのかを示す。
【０１４１】
PDN GW Address in Use(制御情報)は、PGWの最近のIPアドレスを示す。このアドレスは制御信号を送信するときに用いられる。
【０１４２】
PDN GW TEID for S5/S8(制御情報)は、SGWとPGW間のインターフェース(S5/S8)で制御情報の送受信に用いるTEIDである。
【０１４３】
MS Info Change Reporting Actionは、PGWにユーザの位置情報が変更された事を通知する必要があること示す情報要素である。
【０１４４】
CSG Information Reporting Actionは、PGWにCSG情報が変更された事を通知する必要があることを示す情報要素である。
【０１４５】
Presence Reporting Area Actionは、UEが存在報告エリア(Presence Reporting Area)に存在するかどうかの変更を通知する必要があることを示す。この情報要素は、存在報告エリアの識別情報と、存在報告エリアに含まれる要素により分かれている。
【０１４６】
EPS subscribed QoS profileは、デフォルトベアラに対する、ベアラレベルでのQoSパラメータを示す。
【０１４７】
Subscribed APN-AMBRは、ユーザの登録情報に従いこのAPNに対して確立された全てのNon-GBRベアラ(非保障ベアラ)を共有するための上り通信及び下り通信のMBR(Maximum Bit Rate)の最大値を示す。
【０１４８】
APN-AMBRは、PGWにより決定された、このAPNに対して確立された全てのNon-GBRベアラ(非保障ベアラ)を共有するための上り通信及び下り通信のMBR(Maximum Bit Rate)の最大値を示す。
【０１４９】
PDN GW GRE Key for uplink traffic(ユーザデータ)は、SGWとPGW間のインターフェースのユーザデータの上り通信のためのGRE(Generic Routing Encapsulation)鍵である。
【０１５０】
Default Bearerは、PDNコネクション確立時に取得、及び／又は、生成する情報であり、PDNコネクションに対応づけられたデフォルトベアラを識別するためのEPSベアラ識別情報である。
【０１５１】
なお、本実施形態におけるEPSベアラとは、UE_A10とC-SGN_A95との間で確立する通信路であってよい。さらに、EPSベアラは、UE_A10とeNB_A45との間で確立するRB(Radio Bearer)と、eNB_A45とC-SGN_A95との間で確立するS1ベアラとによって構成されてよい。ここで、RBとEPSベアラとは一対一に対応づけられてよい。そのため、RBの識別情報は、EPSベアラの識別情報と一対一に対応づけられてもよいし、同じ識別情報であってもよい。
【０１５２】
また、EPSベアラとは、UE_A10とPGW_A30との間で確立する論理的な通信路であってもよい。この場合においても、EPSベアラは、UE_A10とeNB_A45との間で確立するRB(Radio Bearer)を含んで構成されてよい。さらに、RBとEPSベアラとは一対一に対応づけられてよい。そのため、RBの識別情報は、EPSベアラの識別情報と一対一に対応づけられてもよいし、同じ識別情報であってもよい。
【０１５３】
したがって、Default Bearerは、SRB(Signalling Radio Bearer)、及び／又は、CRB(Control Signalling Radio Bearer)を識別する識別情報であってもよいし、DRB(Data Radio Bearer)識別する識別情報であってもよい。
【０１５４】
ここで、本実施形態におけるSRBとは、本来は制御メッセージ等の制御情報を送受信するために確立するRBであってよい。ここで、本実施形態におけるCRBとは、本来は制御メッセージ等の制御情報を送受信するために確立するRBであってよい。なお、本実施形態では、本来制御メッセージを送受信するためのRBを用いて、ユーザデータの送受信を行う。したがって、本実施形態では、SRB又はCRBを用いて、制御メッセージとユーザデータとを送受信する。
【０１５５】
また、本実施形態におけるDRBとは、ユーザデータを送受信するために確立するRBであってよい。
【０１５６】
low access priorityは、PDNコネクションが公開されているとき、UEが低いアクセス優先度(low access priority)を要求したことを示す。
【０１５７】
図11(d)は、ベアラごとに記憶されるMMEコンテキストを示す。図が示すように、ベアラごとに記憶されるMMEコンテキストは、EPS Bearer ID、TI、S-GW IP address for S1-u、S-GW TEID for S1u、PDN GW TEID for S5/S8、PDN GW IP address for S5/S8、EPS bearer QoS、TFTを含める。
【０１５８】
また、ベアラごとのMMEコンテキストは、モビリティタイプ(Mobility Type)を含んでもよい。
【０１５９】
EPS Bearer IDは、E-UTRANを介したUE接続に対して、EPSベアラを識別する唯一の識別情報である。
【０１６０】
なお、EPS Bearer IDは、デディケイテッドベアラを識別するEPSベアラ識別情報であってよい。したがって、デフォルトベアラとは異なるEPSベアラを識別する識別情報であってよい。
【０１６１】
なお、既に説明した通り、EPSベアラとは、UE_A10とC-SGN_A95との間で確立する通信路であってよい。さらに、EPSベアラは、UE_A10とeNB_A45との間で確立するRB(Radio Bearer)と、eNB_A45とC-SGN_A95との間で確立するS1ベアラとによって構成されてよい。ここで、RBとEPSベアラとは一対一に対応づけられてよい。そのため、RBの識別情報は、EPSベアラの識別情報と一対一に対応づけられてもよいし、同じ識別情報であってもよい。
【０１６２】
また、EPSベアラとは、UE_A10とPGW_A30との間で確立する論理的な通信路であってもよい。この場合においても、EPSベアラは、UE_A10とeNB_A45との間で確立するRB(Radio Bearer)を含んで構成されてよい。さらに、RBとEPSベアラとは一対一に対応づけられてよい。そのため、RBの識別情報は、EPSベアラの識別情報と一対一に対応づけられてもよいし、同じ識別情報であってもよい。
【０１６３】
したがって、デディケイテッドベアラを識別するEPSベアラIDは、SRB(Signalling Radio Bearer)、及び／又は、CRB(Control Signalling Radio Bearer)を識別する識別情報であってもよいし、DRB(Data Radio Bearer)識別する識別情報であってもよい。
【０１６４】
ここで、既に説明したとおり、本実施形態におけるSRBとは、本来は制御メッセージ等の制御情報を送受信するために確立するRBであってよい。ここで、本実施形態におけるCRBとは、本来は制御メッセージ等の制御情報を送受信するために確立するRBであってよい。なお、本実施形態では、本来制御メッセージを送受信するためのRBを用いて、ユーザデータの送受信を行う。したがって、本実施形態では、SRB又はCRBを用いて、制御メッセージとユーザデータとを送受信する。
【０１６５】
また、本実施形態におけるDRBとは、ユーザデータを送受信するために確立するRBであってよい。
【０１６６】
TIはTransaction Identifierの略であり、双方向のメッセージフロー(Transaction)を識別する識別情報である。
【０１６７】
S-GW IP address for S1-uは、eNBとSGW間のインターフェースで使用するSGWのIPアドレスである。
【０１６８】
また、S-GW IP address for S1-uは、ユーザデータが制御情報用のメッセージに含まれて送受信される場合、MME、及び／又は、SGSNとSGW間のインターフェースで使用するSGWのIPアドレスであってもよく、S-GW IP address for S11/S4であってもよい。
【０１６９】
S-GW TEID for S1uは、eNBとSGW間のインターフェースで使用するSGWのTEIDである。
【０１７０】
また、S-GW TEID for S1uは、MME、及び／又は、ユーザデータが制御情報用のメッセージに含まれて送受信される場合、SGSNとSGW間のインターフェースで使用するSGWのTEIDアドレスであってもよく、S-GW TEID for S11/S4であってもよい。
【０１７１】
PDN GW TEID for S5/S8は、SGWとPGW間のインターフェースのユーザデータ伝送の為のPGWのTEIDである。
【０１７２】
PDN GW IP address for S5/S8は、SGWとPGW間のインターフェースのユーザデータ伝送の為のPGWのIPアドレスである。
【０１７３】
EPS bearer QoSは、QCI(QoS Class Identifier)と、ARP(Allocation and Retention Priority)で構成される。QCIはQoSの属するクラスを示す。QoSは帯域制御の有無や遅延許容時間、パケットロス率などに応じてクラスを分けられる。QCIは優先度を示す情報を含める。ARPは、ベアラを維持することに関する優先度を表す情報である。
【０１７４】
TFTは、Traffic Flow Templateの略であり、EPSベアラと関連づけられた全てのパケットフィルターを示す。
【０１７５】
ここで、図7〜図11に示すMMEコンテキストに含まれる情報要素は、MMコンテキスト644又はEPSベアラコンテキスト646のいずれかに含まれる。例えば、図11(d)に示すベアラごとのMMEコンテキストをEPSベアラコンテキストに記憶し、その他の情報要素をMMコンテキストに記憶してもよい。又は図10(c)に示すPDNコネクションごとのMMEコンテキストと図11(d)に示すベアラごとのMMEコンテキストをEPSベアラコンテキストに記憶し、その他の情報要素をMMコンテキストに記憶してもよい。
【０１７６】
図6(a)が示すように、MMEの記憶部_B640は、セキュリティーコンテキスト648を記憶してもよい。図12(e)はセキュリティーコンテキスト648に含まれる情報要素を示す。
【０１７７】
図が示すように、セキュリティーコンテキストは、EPS AS セキュリティーコンテキストと、EPS NAS セキュリティーコンテキストにより構成される。EPS AS セキュリティーコンテキストは、アクセス層(AS:Access Stratum)のセキュリティーに関するコンテキストであり、EPS NAS セキュリティーコンテキストは非アクセス層(NAS:Non-Access Stratum)のセキュリティーに関するコンテキストである。
【０１７８】
図12(f)は、EPS AS セキュリティーコンテキストに含まれる情報要素を示す。図が示すように、EPS AS セキュリティーコンテキストは、cryptographic keyと、Next Hop parameter (NH)と、Next Hop Chaining Counter parameter (NCC)と、identifiers of the selected AS level cryptographic algorithmsとを含める。
【０１７９】
cryptographic keyは、アクセス層での暗号化の鍵である。
【０１８０】
NHは、K_ASMEから決定される情報要素である。フォワードセキュリティーを実現するための情報要素である。
【０１８１】
NCCは、NHと関連付けられた情報要素である。ネットワークを切り替える垂直方向のハンドオーバーが発生した数を表す。
【０１８２】
identifiers of the selected AS level cryptographic algorithmsは選択された暗号化アルゴリズムの識別情報である。
【０１８３】
図12(g)は、EPS NAS セキュリティーコンテキストに含まれる情報要素を示す。図が示すように、EPS NAS セキュリティーコンテキストはK_ASMEとUE Security capabilitiesとNAS COUNTを含めてよい。
【０１８４】
K_ASMEは、鍵CKとIKに基づき生成される、E-UTRANの鍵階層化の鍵である。
【０１８５】
UE Security capabilitiesは、UEで使用される暗号とアルゴリズムに対応する識別情報の集合である。この情報は、アクセス層に対する情報と、非アクセス層に対する情報とを含む。更に、UEがUTRAN/GERANへのアクセスをサポートする場合、この情報にUTRAN/GERANに対する情報を含める。
【０１８６】
NAS COUNは、K_ASMEが動作している時間を示すカウンターである。
【０１８７】
セキュリティーコンテキスト648はMMEコンテキスト642に含まれてもよい。また、図6(a)に示すように、セキュリティーコンテキスト648とMMEコンテキスト642は別に存在してもよい。
【０１８８】
図12(h)は、MME緊急構成データ650で記憶される情報要素を示す。MME緊急構成データは、HSSから取得するUEの登録情報の代わりに使用する情報である。図に示すように、MME緊急構成データ650は、em APN(Emergency Access Point Name)、Emergency QoS profile、Emergency APN-AMBR、Emergency PDN GW identity、Non-3GPP HO Emergency PDN GW identityが含まれる。
【０１８９】
em APNは、緊急用のPDN接続に用いるアクセスポイント名を示す。
【０１９０】
Emergency QoS profileは、ベアラレベルでのem APNのデフォルトベアラのQoSを示す。
【０１９１】
Emergency APN-AMBRは、em APNに対して確立されたNon-GBRベアラ(非保障ベアラ)を共有するための上り通信及び下り通信のMBRの最大値を示す。この値はPGWにより決定される。
【０１９２】
Emergency PDN GW identityは、em APNに対して静的に設定されたPGWの識別情報である。この識別情報は、FQDNでもIPアドレスであってもよい。
【０１９３】
Non-3GPP HO Emergency PDN GW identityは、PLMNが3GPP以外のアクセスネットワークへのハンドオーバーをサポートする場合に、em APNに対して静的に設定されたPGWの識別情報である。この識別情報は、FQDNでもIPアドレスであってもよい。
【０１９４】
更に、MME_A40は、UEに対する接続状態を、UEと同期しながら管理してよい。
【０１９５】
[1.2.3.SGWの構成]
以下、SGW_A35の構成について説明する。図13(a)はSGW_A35の装置構成を示す。図に示すように、SGW_A35はネットワーク接続部_C1320と、制御部_C1300と記憶部_C1340で構成されている。ネットワーク接続部_C1320と記憶部_C1340は制御部_C1300と、バスを介して接続されている。
【０１９６】
制御部_C1300はSGW_A35を制御するための機能部である。制御部_C1300は、記憶部_C1340に記憶されている各種プログラムを読みだして実行することにより各種処理を実現する。
【０１９７】
ネットワーク接続部_C1320は、SGW_A35が、eNB_A45及び/又はMME_A40及び/又はPGW_A30及び/又はSGSN_A42と接続するための機能部である。さらに、ネットワーク接続部_C1320は、SGW_A35が、eNB_A45及び/又はMME_A40及び/又はPGW_A30及び/又はSGSN_A42からユーザデータ及び／又は制御データを送受信する送受信機能部である。
【０１９８】
記憶部_C1340は、SGW_A35の各動作に必要なプログラムや、データなどを記憶する機能部である。記憶部_C1340は、例えば、半導体メモリや、HDD(Hard Disk Drive)等により構成されている。
【０１９９】
記憶部_C1340は、少なくとも、後述する通信手続き内で送受信する制御メッセージに含まれる識別情報及び／又は制御情報及び／又はフラグ及び／又はパラメータを記憶してもよい。
【０２００】
記憶部_C1340は、図に示すように、EPSベアラコンテキスト1342を記憶する。なお、EPSベアラコンテキストの中には、UEごとに記憶されるものと、PDNごとに記憶されるものと、ベアラごとに記憶されるものが含まれる。
【０２０１】
図14(b)にUEごとに記憶されるEPSベアラコンテキストの情報要素を示す。図14(b)が示すように、UEごとに記憶されるEPSベアラコンテキストは、IMSI、MSI-unauthenticated-indicator、ME Identity、MSISDN、Selected CN operator id、MME TEID for S11、MME IP address for S11、S-GW TEID for S11/S4、S-GW IP address for S11/S4、SGSN IP address for S4、SGSN TEID for S4、Trace reference、Trace type、Trigger ID、OMC identity、Last known Cell Id、Last known Cell Id ageを含める。
【０２０２】
また、UEごとのEPSベアラコンテキストは、モビリティタイプ(Mobility Type)を含んでもよい。
【０２０３】
IMSIは、ユーザの永久的な識別情報である。HSS_A50のIMSIと等しい。
【０２０４】
IMSI-unauthenticated-indicatorは、このIMSIが認証されていない事を示す指示情報である。
【０２０５】
ME Identityは、UEの識別情報であり、例えば、IMEI/IMISVであってもよい。
【０２０６】
MSISDNは、UEの基本的な電話番号を表す。MSISDNはHSS_A50の記憶部により示される。
【０２０７】
Selected CN operator idはオペレータ間でネットワークを共有するために使用する、選択されたコアネットワークオペレータの識別情報である。
【０２０８】
MME TEID for S11は、MMEとSGW間のインターフェースで用いられるMMEのTEIDである。
【０２０９】
MME IP address for S11は、MMEとSGW間のインターフェースで用いられるMMEのIPアドレスである。
【０２１０】
S-GW TEID for S11/S4は、MMEとSGW間のインターフェース、又はSGSNとSGW間のインターフェースで用いられるSGWのTEIDである。
【０２１１】
S-GW IP address for S11/S4は、MMEとSGW間のインターフェース、又はSGSNとSGW間のインターフェースで用いられるSGWのIPアドレスである。
【０２１２】
SGSN IP address for S4は、SGSNとSGW間のインターフェースで用いられるSGSNのIPアドレスである。
【０２１３】
SGSN TEID for S4は、SGSNとSGW間のインターフェースで用いられるSGSNのTEIDである。
【０２１４】
Trace referenceは、特定のトレースの記録、又は記録の集合を識別する識別情報である。
【０２１５】
Trace Typeは、トレースのタイプを示す。例えば、HSSがトレースをするタイプ、及び/又は、MMEやSGWやPGWがトレースするタイプを示してもよい。
【０２１６】
Trigger IDは、トレースを開始する構成要素を識別する識別情報である。
【０２１７】
OMC Identityは、トレースされた記録を受信したOMCを識別する識別情報である。
【０２１８】
Last known Cell IDは、ネットワークから通知されたUEの最近の位置情報である。
【０２１９】
Last known Cell ID ageは、Last known Cell IDが記憶されてから今までの期間を示す情報である。
【０２２０】
さらに、EPSベアラコンテキストには、PDNコネクションごとに記憶されるPDNコネクションごとのEPSベアラコンテキストが含まれる。図15(c)に、PDNコネクションごとのEPSベアラコンテキストを示す。図に示すように、PDNコネクションごとのEPSベアラコンテキストは、APN in Use、EPS PDN Charging Characteristics、P-GW Address in Use(制御情報)、P-GW TEID for S5/S8(制御情報)、P-GW Address in Use(ユーザデータ)、P-GW GRE Key for uplink(ユーザデータ)、S-GW IP address for S5/S8(制御情報)、S―GW TEID for S5/S8(制御情報)、S GW Address in Use(ユーザデータ)、S-GW GRE Key for downlink traffic(ユーザデータ)、Default Bearerを含める。
【０２２１】
また、PDNコネクションごとのEPSベアラコンテキストは、モビリティタイプ(Mobility Type)を含んでもよい。
【０２２２】
APN in Useは、最近使用されたAPNを示す。このAPNはAPNネットワークの識別情報と、デフォルトのオペレータの識別情報により構成される。また、この情報は、MME又はSGSNより取得した情報である。
【０２２３】
EPS PDN Charging Characteristicsは、課金特性を示す。EPS PDN Charging Characteristicsは例えば、ノーマル、プリペイド、課金率固定、又は即時請求を示してよい。
【０２２４】
P-GW Address in Use(制御情報)は、SGWが最近制御情報を送信するときに使用したPGWのIPアドレスである。
【０２２５】
P-GW TEID for S5/S8(制御情報)は、SGWとPGW間のインターフェースで、制御情報の伝送に用いるPGWのTEIDである。
【０２２６】
P-GW Address in Use(ユーザデータ)は、SGWが最近ユーザデータを送信するときに使用したPGWのIPアドレスである。
【０２２７】
P-GW GRE Key for uplink(ユーザデータ)は、SGWとPGW間のインターフェースのユーザデータの上り通信のためのGREキーである。
【０２２８】
S-GW IP address for S5/S8(制御情報)は、SGWとPGW間の制御情報のインターフェースに用いるSGWのIPアドレスである。
【０２２９】
S―GW TEID for S5/S8(制御情報)は、GWとPGW間の制御情報のインターフェースに用いるSGWのTEIDである。
【０２３０】
S GW Address in Use(ユーザデータ)は、SGWがユーザデータを送信するのに最近用いたSGWのIPアドレスである。
【０２３１】
S-GW GRE Key for downlink traffic(ユーザデータ)は、SGWとPGW間のユーザデータのインターフェースに用いる上り通信のGREキーである。
【０２３２】
Default Bearerは、PDNコネクション確立時に取得、及び／又は、生成する情報であり、PDNコネクションに対応づけられたデフォルトベアラを識別するための識別情報である。
【０２３３】
更に、SGWのEPSベアラコンテキストはベアラごとのEPSベアラコンテキストを含める。図15(d)は、ベアラごとのEPSベアラコンテキストを示す。図に示すように、ベアラごとのEPSベアラコンテキストは、EPS Bearer Id、TFT、P-GW Address in Use(ユーザデータ)、P-GW TEID for S5/S8 (ユーザデータ)、S-GW IP address for S5/S8(ユーザデータ)、S-GW TEID for S5/S8(ユーザデータ)、S-GW IP address for S1-u、S12 and S4(ユーザデータ)、S-GW TEID for S1-u、S12 and S4(ユーザデータ)、eNodeB IP address for S1-u、eNodeB TEID for S1-u、RNC IP address for S12、RNC TEID for S12、SGSN IP address for S4(ユーザデータ)、SGSN TEID for S4(ユーザデータ)、EPS Bearer QoS、Charging Idを含める。
【０２３４】
また、ベアラごとのEPSコンテキストは、モビリティタイプ(Mobility Type)を含んでもよい。
【０２３５】
EPS Bearer Idは、E-UTRANを介したUE接続に対して、EPSベアラを識別する唯一の識別情報である。つまり、ベアラを識別するための識別情報である。言い換えると、 EPS Bearer Idは、EPSベアラの識別情報である。また、EPS Bearer Idは、SRB、及び／又は、CRBを識別する識別情報であってもよいし、DRBを識別する識別情報であってもよい。
【０２３６】
TFTは、EPSベアラと関連づけられた全てのパケットフィルターを示す。言い換えると、TFTは送受信するユーザデータの一部を識別する情報であり、SGW_A35は、TFTによって識別されたユーザデータを、TFTに関連付けたEPSベアラを用いて送受信する。さらに言い換えると、SGW_A35は、TFTによって識別されたユーザデータを、TFTに関連づけたRBを含むEPSベアラを用いて送受信する。
【０２３７】
また、SGW_A35は、TFTで識別できないユーザデータを、デフォルトベアラを用いて送受信してもよい。
【０２３８】
また、SGW_A35は、デフォルトベアラに関連付けられてTFTを予め記憶しておいてもよい。
【０２３９】
P-GW Address in Use(ユーザデータ)は、SGWとPGW間のインターフェースで、ユーザデータの送信に最近用いられたPGWのIPアドレスである。
【０２４０】
P-GW TEID for S5/S8 (ユーザデータ)は、SGWとPGW間のユーザデータのインターフェースのためのPGWのTEIDである。
【０２４１】
S-GW IP address for S5/S8(ユーザデータ)は、PGWから受信するユーザデータの為の、SGWのIPアドレスである。
【０２４２】
S-GW TEID for S5/S8(ユーザデータ)は、SGWとPGW間のユーザデータのインターフェースの為のSGWのTEIDである。
【０２４３】
S-GW IP address for S1-u、S12 and S4(ユーザデータ)は、SGWと3GPPのアクセスネットワーク(LTEのアクセスネットワーク、又はGERAN/UTRAN)間のインターフェースで用いるSGWのIPアドレスである。
【０２４４】
また、S-GW IP address for S1-u、S12 and S4(ユーザデータ)は、ユーザデータが制御情報用のメッセージに含まれて送受信される場合、SGWとMME、及び／又は、SGSN間のインターフェースで用いるSGWのIPアドレスであってもよく、S-GW IP address for S11/S4であってもよい。
【０２４５】
S-GW TEID for S1-u、S12 and S4(ユーザデータ)は、SGWと3GPPのアクセスネットワーク(LTEのアクセスネットワーク、又はGERAN/UTRAN)間のインターフェースで用いるSGWのTEIDである。
【０２４６】
また、S-GW TEID for S1-u、S12 and S4(ユーザデータ)は、ユーザデータが制御情報用のメッセージに含まれて送受信される場合、SGWとMME、及び／又は、SGSN間のインターフェースで用いるSGWのTEIDであってもよく、S-GW TEID for S11/S4であってもよい。
【０２４７】
eNodeB IP address for S1-uは、SGWとeNB間の伝送に用いるeNBのIPアドレスである。
【０２４８】
また、eNodeB IP address for S1-uは、ユーザデータが制御情報用のメッセージに含まれて送受信される場合、MMEとSGW間のインターフェースで用いるMMEのIPアドレスであってもよく、MME IP address for S11であってもよい。
【０２４９】
eNodeB TEID for S1-uは、SGWとeNB間の伝送に用いるeNBのTEIDである。
【０２５０】
また、eNodeB TEID for S1-uは、ユーザデータが制御情報用のメッセージに含まれて送受信される場合、MMEとSGW間のインターフェースで用いるMMEのTEIDであってもよく、MME TEID for S11であってもよい。
【０２５１】
RNC IP address for S12は、SGWとUTRAN間のインターフェースに用いるRNCのIPアドレスである。
【０２５２】
RNC TEID for S12は、SGWとUTRAN間のインターフェースに用いるRNCのTEIDである。
【０２５３】
SGSN IP address for S4(ユーザデータ)は、SGWとSGSN間のユーザデータの伝送に用いるSGSNのIPアドレスである。
【０２５４】
SGSN TEID for S4(ユーザデータ)は、SGWとSGSN間のユーザデータの伝送に用いるSGSNのTEIDである。
【０２５５】
EPS Bearer QoSは、このベアラのQoSを表し、ARP、GBR、MBR、QCIが含まれてもよい。ここでARPは、ベアラを維持することに関する優先度を表す情報である。また、GBR(Guaranteed Bit Rate)は帯域保障されたビットレートを表し、MBR(Maximum Bit Rate)は、最大ビットレートをあらわす。QCIは、帯域制御の有無や遅延許容時間、パケットロス率などに応じてクラスを分けられる。QCIは優先度を示す情報を含める。
【０２５６】
Charging Idは、SGWとPGWで生成される課金を記録するための識別情報である。
【０２５７】
[1.2.4.PGWの構成]
以下、PGW_A30の構成について説明する。図16(a)はPGW_A30の装置構成を示す。図に示すように、PGW_A30はネットワーク接続部_D1620と、制御部_D1600と記憶部_D1640で構成されている。ネットワーク接続部_D1620と記憶部_D1640は制御部_D1600と、バスを介して接続されている。
【０２５８】
制御部_D1600はPGW_A30を制御するための機能部である。制御部_D1600は、記憶部_D1640に記憶されている各種プログラムを読みだして実行することにより各種処理を実現する。
【０２５９】
ネットワーク接続部_D1620は、PGW_A30が、SGW_A35及び/又はPCRF_A60及び/又はePDG_A65と及び/又はAAA_A55及び/又はTWAG_A74及び/又はPDN_A5と接続するための機能部である。また、ネットワーク接続部_D1620は、PGW_A30が、SGW_A35及び/又はPCRF_A60及び/又はePDG_A65と及び/又はAAA_A55及び/又はTWAG_A74及び/又はPDN_A5からユーザデータ及び／又は制御データを送受信する送受信機能部である。
【０２６０】
記憶部_D1640は、PGW_A30の各動作に必要なプログラムや、データなどを記憶する機能部である。記憶部_D1640は、例えば、半導体メモリや、HDD(Hard Disk Drive)等により構成されている。
【０２６１】
記憶部_D1640は、少なくとも、後述する通信手続き内で送受信する制御メッセージに含まれる識別情報及び／又は制御情報及び／又はフラグ及び／又はパラメータを記憶してもよい。
【０２６２】
記憶部_D1640は、図に示すように、EPSベアラコンテキスト1642を記憶する。なお、EPSベアラコンテキストの中には、UEごとに記憶されるものと、APNごとに記憶されるものと、PDNコネクションごとに記憶されるものと、ベアラごとに記憶されるものとが分かれて記憶されてもよい。
【０２６３】
図17(b)は、UEごとに記憶されるEPSベアラコンテキストに含まれる情報要素を示す。図に示すように、UEごとに記憶されるEPSベアラコンテキストは、IMSI、IMSI-unauthenticated-indicator、ME Identity、MSISDN、Selected CN operator id、RAT type、Trace reference、Trace type、Trigger id、OMC identityを含む。
【０２６４】
また、UEごとのEPSベアラコンテキストは、モビリティタイプ(Mobility Type)を含んでもよい。
【０２６５】
IMSIは、UEを使用するユーザに割り当てられる、識別情報である。
【０２６６】
IMSI-unauthenticated-indicatorは、このIMSIが認証されていない事を示す指示情報である。
【０２６７】
ME IdentityはUEのIDであり、例えば、IMEI/IMISVであってもよい。
【０２６８】
MSISDNは、UEの基本的な電話番号を表す。MSISDNはHSS_A50の記憶部により示される。
【０２６９】
Selected CN operator IDはオペレータ間でネットワークを共有するために使用する、選択されたコアネットワークオペレータの識別情報である。
【０２７０】
RAT typeは、UEの最近のRAT(Radio Access Technology)を示す。RAT typeは例えば、E-UTRA(LTE)や、UTRAなどであってよい。
【０２７１】
Trace referenceは、特定のトレースの記録、又は記録の集合を識別する識別情報である。
【０２７２】
Trace typeは、トレースのタイプを示す。例えば、HSSがトレースをするタイプ、及び/又は、MMEやSGWやPGWがトレースするタイプを示してもよい。
【０２７３】
Trigger IDは、トレースを開始する構成要素を識別する識別情報である。
【０２７４】
OMC Identityは、トレースされた記録を受信したOMCを識別する識別情報である。
【０２７５】
次に、図17(c)にAPNごとに記憶されるEPSベアラコンテキストを示す。図に示すように、PGW記憶部のAPNごとに記憶されるEPSベアラコンテキストは、APN in use、APN-AMBRを含める。
【０２７６】
APN in Useは、最近使用されたAPNを示す。このAPNはAPNネットワークの識別情報と、デフォルトのオペレータの識別情報により構成される。この情報はSGWから取得する。
【０２７７】
APN-AMBRは、このAPNに対して確立された全てのNon-GBRベアラ(非保障ベアラ)を共有するための上り通信及び下り通信のMBR(Maximum Bit Rate)の最大値を示す。
【０２７８】
また、図18(d)にPDNコネクションごとに記憶されるPDNコネクションごとのEPSベアラコンテキストを示す。図に示すように、PDNコネクションごとのEPSベアラコンテキストは、IP Address、PDN type、S-GW Address in Use(制御情報)、S-GW TEID for S5/S8(制御情報)、S-GW Address in Use(ユーザデータ)、S-GW GRE Key for downlink traffic(ユーザデータ)、P-GW IP address for S5/S8(制御情報)、P-GW TEID for S5/S8(制御情報)、P-GW Address in Use(ユーザデータ)、P-GW GRE Key for uplink traffic (ユーザデータ)、MS Info Change Reporting support indication、MS Info Change Reporting Action、CSG Information Reporting Action、Presence Reporting Area Action、BCM、Default Bearer、EPS PDN Charging Characteristicsを含める。
【０２７９】
また、PDNコネクションごとのEPSベアラコンテキストは、モビリティタイプ(Mobility Type)を含んでもよい。
【０２８０】
IP Addressは、このPDNコネクションに対してUEに割り当てられたIPアドレスを示す。IPアドレスはIPv4及び/又はIPv6 prefixであってよい。
【０２８１】
PDN typeは、IPアドレスの種類を示す。PDN typeは例えば、IPv4又はIPv6又はIPv4v6を示す。
【０２８２】
S-GW Address in Use(制御情報)は、制御情報を送信するのに最近用いられるSGWのIPアドレスである。
【０２８３】
S-GW TEID for S5/S8(制御情報)は、SGWとPGW間の制御情報の送受信に用いるSGWのTEIDである。
【０２８４】
S-GW Address in Use(ユーザデータ)は、SGWとPGW間のインターフェースでユーザデータの送信に最近用いられたSGWのIPアドレスである。
【０２８５】
S-GW GRE Key for downlink traffic(ユーザデータ)は、SGWとPGW間のインターフェースで、PGWからSGWへのユーザデータの下り通信において使用するために割り当てられたGRE鍵である。
【０２８６】
P-GW IP address for S5/S8(制御情報)は、制御情報の通信に用いるPGWのIPドレスである。
【０２８７】
P-GW TEID for S5/S8(制御情報)は、SGWとPGW間のインターフェースを用いた制御情報の通信の為のPGWのTEIDである。
【０２８８】
P-GW Address in Use(ユーザデータ)は、SGWとPGW間のインターフェースを用いたユーザデータの送信に最近用いられたPGWのIPアドレスである。
【０２８９】
P-GW GRE Key for uplink traffic (ユーザデータ)は、SGWとPGW間のユーザデータの上り通信、つまりSGWからPGWへのユーザデータの送信、のために割り当てられたGRE鍵である。
【０２９０】
MS Info Change Reporting support indicationは、MME及び/又はSGSNがユーザの位置情報及び/又はユーザのCSG情報を通知する処理をサポートすることを示す。
【０２９１】
MS Info Change Reporting Actionは、MME及び/又はSGSNがユーザの位置情報の変更を送信することが要求されているかどうかを示す情報である。
【０２９２】
CSG Information Reporting Actionは、MME及び/又はSGSNがユーザのCSG情報の変更の送信を要求されているかどうかを示す情報である。この情報は、(a)CSGセルに対するものと、(b)ユーザがCSGメンバーであるハイブリッドセルに対するものと、(c)ユーザがCSGメンバーでないハイブリッドセルに対するものと、またこれらを組み合わせたものと、別に示す。
【０２９３】
Presence Reporting Area Actionは、UEが存在報告エリア(Presence Reporting Area)に存在するかどうかの変更を通知する必要があることを示す。この情報要素は、存在報告エリアの識別情報と、存在報告エリアに含まれる要素により分かれている。
【０２９４】
BCM(Bearer Control Mode)は、GERAN/UTRANに対する交渉されたベアラの制御状態を示す。
【０２９５】
Default Bearerは、PDNコネクション確立時に取得、及び／又は、生成する情報であり、PDNコネクションに対応づけられたデフォルトベアラを識別するためのEPSベアラ識別情報である。
【０２９６】
EPS PDN Charging Characteristicsは、課金特性である。課金特性は例えば、通常(ノーマル)、プリペイド、課金率固定、即時請求を示してもよい。
【０２９７】
更に、図19(e)に、EPSベアラごとに記憶されるEPSベアラコンテキストを示す。図に示すように、EPSベアラコンテキストは、EPS Bearer Id 、TFT、S-GW Address in Use(ユーザデータ)、S-GW TEID for S5/S8 (ユーザデータ)、P-GW IP address for S5/S8 (ユーザデータ)、P-GW TEID for S5/S8 (ユーザデータ)、EPS Bearer QoS、Charging Idを含める。
【０２９８】
また、EPSベアラごとのEPSコンテキストは、モビリティタイプ(Mobility Type)を含んでもよい。
【０２９９】
EPS Bearer Idは、UEのE-UTRANを介したアクセスを識別する識別情報である。言い換えると、 EPS Bearer Idは、EPSベアラの識別情報である。また、EPS Bearer Idは、SRB、及び／又は、CRBを識別する識別情報であってもよいし、DRBを識別する識別情報であってもよい。
【０３００】
TFTは、Traffic Flow Templateの略であり、EPSベアラと関連づけられた全てのパケットフィルターを示す。言い換えると、TFTは送受信するユーザデータの一部を識別する情報であり、PGW_A30は、TFTによって識別されたユーザデータを、TFTに関連付けたEPSベアラを用いて送受信する。さらに言い換えると、PGW_A30は、TFTによって識別されたユーザデータを、TFTに関連づけたRBを含むEPSベアラを用いて送受信する。
【０３０１】
また、PGW_A30は、TFTで識別できないユーザデータを、デフォルトベアラを用いて送受信してもよい。
【０３０２】
また、PGW_A30は、デフォルトベアラに関連付けられてTFTを予め記憶しておいてもよい。
【０３０３】
S‐GW Address in Use(ユーザデータ)は、ユーザデータの送信に最近用いられたSGWのIPアドレスである。
【０３０４】
S‐GW TEID for S5/S8 (ユーザデータ)は、SGWとPGW間のインターフェースを用いたユーザデータの通信の為のSGWのTEIDである。
【０３０５】
P‐GW IP address for S5/S8(ユーザデータ)は、PGWから受信するユーザデータの為のPGWのIPアドレスである。
【０３０６】
P‐GW TEID for S5/S8(ユーザデータ)は、SGWとPGW間のユーザデータの通信のためのPGWのTEIDである。
【０３０７】
EPS Bearer QoSは、ベアラのQoSを示し、ARP、GBR、MBR、QCIが含まれてもよい。ここでARPは、ベアラを維持することに関する優先度を表す情報である。また、GBR(Guaranteed Bit Rate)は帯域保障されたビットレートを表し、MBR(Maximum Bit Rate)は、最大ビットレートをあらわす。QCIは、帯域制御の有無や遅延許容時間、パケットロス率などに応じてクラスを分けられる。QCIは優先度を示す情報を含める。
【０３０８】
Charging Idは、SGWとPGWで生成された課金に関する記録を識別するための課金識別情報である。
【０３０９】
[1.2.5.UEの構成]
図20(a)はUE_A10の装置構成を示す。図に示すように、UE_A10は送受信部_F2020と、制御部_F2000と記憶部_F2040で構成されている。送受信部_F2020と記憶部_F2040は制御部_F2000と、バスを介して接続されている。
【０３１０】
制御部_F2000はUE_A10を制御するための機能部である。制御部_F2000は、記憶部_F2040に記憶されている各種プログラムを読みだして実行することにより各種処理を実現する。
【０３１１】
送受信部_F2020は、UE_A10がLTE基地局に接続し、IPアクセスネットワークへ接続するための機能部である。また、送受信部_F2020には、外部アンテナ_F2010が接続されている。
【０３１２】
言い換えると、送受信部_F2020は、UE_A10がeNB_A45と接続するための機能部である。さらに、送受信部_F2020は、UE_A10が、eNB_A45からユーザデータ及び／又は制御データを送受信する送受信機能部である。
【０３１３】
記憶部_F2040は、UE_A10の各動作に必要なプログラムや、データなどを記憶する機能部である。記憶部_F2040は、例えば、半導体メモリや、HDD(Hard Disk Drive)等により構成されている。
【０３１４】
記憶部_F2040は、少なくとも、後述する通信手続き内で送受信する制御メッセージに含まれる識別情報及び／又は制御情報及び／又はフラグ及び／又はパラメータを記憶してもよい。
【０３１５】
記憶部_F2040は、図に示すように、UEコンテキスト2042を記憶する。以下、記憶部_F2040で記憶される情報要素について説明する。
【０３１６】
図21(b)は、UEごとに記憶されるUEコンテキストに含まれる情報要素を示す。図に示すように、UEごとに記憶されるUEコンテキストは、IMSI、EMM State、GUTI、ME Identity、Tracking Area List、last visited TAI、Selected NAS Algorithm、Selected AS Algorithm、eKSI、K_ASME、NAS Keys and COUNT、TIN、UE Specific DRX Parameters、Allowed CSG list、Operator CSG listを含める。
【０３１７】
また、UEごとのUEコンテキストは、モビリティタイプ(Mobility Type)を含んでもよい。
【０３１８】
IMSIは、加入者の永久的な識別情報である。
【０３１９】
EMM Stateは、UEの移動管理状態を示す。例えば、UEがネットワークに登録されているEMM-REGISTERED(登録状態、registered状態)、又はUEがネットワークに登録されていないEMM-DEREGISTERD(非登録状態、deregistered状態)であってもよい。
【０３２０】
GUTIは、Globally Unique Temporary Identityの略であり、UEの一時的な識別情報である。GUTIはMMEの識別情報(GUMMEI:Globally Unique MME Identifier)と特定MME内でのUEの識別情報(M-TMSI)により構成される。
【０３２１】
ME Identityは、MEのIDであり、例えば、IMEI/IMISVであってもよい。
【０３２２】
Tracking Area Listは、UEに割り当てたトラッキングエリア識別情報のリストである。
【０３２３】
last visited TAIはTracking Area Listに含まれるトラッキングエリア識別情報であり、UEが訪れた最新のトラッキングエリアの識別情報である。
【０３２４】
Selected NAS Algorithmは、NASの選択されたセキュリティーアルゴリズムである。
【０３２５】
Selected AS Algorithmは、ASの選択されたセキュリティーアルゴリズムである。
【０３２６】
eKSIは、K_ASMEを示す鍵の集合である。UTRAN又はE-UTRANのセキュリティー認証により取得したセキュリティー鍵を利用するかどうかを示してもよい。
【０３２７】
K_ASMEは、鍵CKとIKに基づき生成される、E-UTRANの鍵階層化の鍵である。
【０３２８】
NAS Keys and COUNTは、鍵K_NASintと、鍵K_NASencとNAS COUNTにより構成される。K_NASintは、UEとMME間の暗号化のための鍵であり、K_NASencは、UEとMME間の安全性保護のための鍵である。また、NAS COUNTはUEとMME間のセキュリティーが確立された、新しい鍵が設定された場合にカウントを開始する、カウントである。
【０３２９】
TIN(Temporary Identity used in Next update)は、アタッチ手続きや、RAU/TAU(位置情報更新手続き)においてUEの中で使用される一時的な識別情報である。
【０３３０】
UE Specific DRX Parametersは、選択されたUEのDRX(Discontinuous Reception)サイクル長である。
【０３３１】
Allowed CSG listは、ユーザとオペレータ両方の制御の下に、許可されたUEが属するメンバーのCSG IDと関連付けられたPLMNのリストである。
【０３３２】
Operator CSG listは、オペレータのみの制御の下に、許可されたUEが属するメンバーのCSG IDと関連付けられたPLMNのリストである。
【０３３３】
次に、図21(c)にPDNコネクションごとに記憶されるPDNコネクションごとのUEコンテキストを示す。図に示すように、PDNコネクションごとのUEコンテキストは、APN in Use、APN-AMBR、Assigned PDN Type、IP Address、Default Bearer、WLAN offloadabilityを含める。
【０３３４】
また、PDNコネクションごとのUEコンテキストは、モビリティタイプ(Mobility Type)を含んでもよい。
【０３３５】
APN in Useは、最近使用されたAPNである。このAPNは、ネットワークの識別情報と、デフォルトのオペレータの識別情報とで構成されてよい。
【０３３６】
APN-AMBRは、Non-GBRベアラ(非保障ベアラ)を共有するための上り通信及び下り通信のMBRの最大値を示す。APN-AMBRは、APNごとに確立される。
【０３３７】
Assigned PDN Typeは、ネットワークから割り当てられたPDNのタイプである。Assigned PDN Typeは、例えば、IPv4や、IPv6や、IPv4v6であってよい。
【０３３８】
IP Addressは、UEに割り当てられたIPアドレスであり、IPv4アドレス、又はIPv6 prefixであってよい。
【０３３９】
Default Bearerは、PDNコネクション確立時にコアネットワーク_A90から取得する情報であり、PDNコネクションに対応づけられたデフォルトベアラを識別するEPSベアラ識別情報である。
【０３４０】
WLAN offloadabilityは、WLANと3GPP間のインターワーキング機能を用いてWLANへオフロードすることを許可するか、又は3GPPアクセスを維持するかどうかを示すWLANオフロードの許可情報である。
【０３４１】
図21(d)は、UEの記憶部で記憶されるベアラごとのUEコンテキストを示す。図に示すように、ベアラごとのUEコンテキストは、EPS Bearer ID、TI、EPS bearer QoS、TFTを含める。
【０３４２】
また、ベアラごとのUEコンテキストは、モビリティタイプ(Mobility Type)を含んでもよい。
【０３４３】
EPS Bearer IDは、EPSベアラの識別情報である。また、EPS Bearer IDは、SRB、及び／又は、CRBを識別する識別情報であってもよいし、DRBを識別する識別情報であってもよい。
【０３４４】
TIはTransaction Identifierの略であり、双方向のメッセージフロー(Transaction)を識別する識別情報である。
【０３４５】
TFTは、Traffic Flow Templateの略であり、EPSベアラと関連づけられた全てのパケットフィルターを示す。言い換えると、TFTは送受信するユーザデータの一部を識別する情報であり、UE_A10は、TFTによって識別されたユーザデータを、TFTに関連付けたEPSベアラを用いて送受信する。さらに言い換えると、UE_A10は、TFTによって識別されたユーザデータを、TFTに関連づけたRBを用いて送受信する。
【０３４６】
また、UE_A10は、TFTで識別できないユーザデータを、デフォルトベアラを用いて送受信してもよい。
【０３４７】
また、UE_A10は、デフォルトベアラに関連付けられてTFTを予め記憶しておいてもよい。
【０３４８】
また、本実施形態におけるモビリティタイプとは、モビリティの粒度を示す情報であってもよい。
【０３４９】
[1.3.通信手続きの説明]
次に、本実施形態における通信手続きを、図22を用いて説明する。
【０３５０】
本実施形態における通信手続きは、図22に示すように、まずPDN接続手続き(S2200)を実行する。UE_A10、及び／又はeNB_A45、及び／又はMME_A40、及び／又はSGW_A35、及び／又はPGW_A30は、PDN接続手続き(S2200)において、PDNコネクションを確立してもよく、UE_A10のモビリティタイプを決定してもよい。
【０３５１】
なお、本通信手続きにおけるPDN接続手続きは、UE_A10がコアネットワーク_A90に初期接続するためのアタッチ手続きの中で実行されてもよい。その場合、PDN接続要求メッセージはUE_A10がMME_A40に送信するアタッチ要求メッセージに含まれて送受信されてもよい。さらに、デフォルトEPSベアラコンテキストアクティブ化要求メッセージは、MME_A40がUE_A10に送信するアタッチ受諾メッセージに含まれて送受信されてもよい。さらに、デフォルトEPSベアラコンテキストアクティブ化受諾メッセージは、UE_A10がMME_A40に送信するアタッチ完了メッセージに含まれて送受信されてもよい。
【０３５２】
各装置(UE_A10、及び／又はeNB_A45、及び／又はMME_A40、及び／又はSGW_A35、及び／又はPGW_A30)は、アタッチ手続き及び／又はPDN接続手続きの完了に基づいて、第1の状態に遷移する(S2204)。ここで、第1の状態は、図5で示すように、各装置が、PDNコネクションを確立している状態であってよい。さらに、第1の状態は、UE_A10がコアネットワーク_A90に接続している状態であってもよい。なお、第1の状態は、これらに限らなくてもよい。さらに、PDN(Packet Data network)コネクションは、UE_A10とPGW_A30及び／又はPDN_A5の間で確立される通信路であってもよく、PDU(Protocol Data Unit、又はPacket Data Unit)セッションであってもよい。
【０３５３】
次に、モビリティタイプ変更手続き(S2206)を実行してもよい。UE_A10、及び／又はeNB_A45、及び／又はMME_A40、及び／又はSGW_A35、及び／又はPGW_A30は、モビリティタイプ変更手続きにより、UE_A10のモビリティタイプを変更してもよい。
【０３５４】
ここで、各手続きの詳細手順を説明する前に、重複説明を避けるために本実施形態特有の用語や、各手続きに用いる主要な識別情報を予め説明する。
【０３５５】
本実施形態におけるモビリティタイプとは、モビリティの粒度を示す情報であってもよい。
【０３５６】
また、UE_A10及び／又はMME_A40は、UE_A10のモビリティに関する能力を示す情報を管理してもよい。なお、UE_A10のモビリティに関する能力を示す情報は、モビリティタイプを用いて示される情報であってよい。言い換えると、UE_A10の識別情報とモビリティタイプとは対応づけられて管理されてもよい。なお、本実施形態では、こうしたUE_A10のモビリティに関する能力を示す情報を第1の識別情報として説明する。
【０３５７】
また、UE_A10及び／又はMME_A40は、コアネットワーク_A90のモビリティに関する能力を示す情報を管理してもよい。なお、コアネットワーク_A90のモビリティに関する能力を示す情報は、モビリティタイプを用いて示される情報であってよい。言い換えると、コアネットワーク_A90の識別情報とモビリティタイプとは対応づけられて管理されてもよい。なお、本実施形態では、こうしたコアネットワーク_A90のモビリティに関する能力を示す情報を第2の識別情報として説明する。
【０３５８】
また、UE_A10及び／又はMME_A40は、UE_A10が要求するモビリティを示す情報を管理してもよい。なお、UE_A10が要求するモビリティを示す情報は、モビリティタイプを用いて示される情報であってよい。言い換えると、UE_A10の識別情報とモビリティタイプとは対応づけられて管理されてもよい。なお、本実施形態では、こうした、UE_A10が要求するモビリティを示す情報を第3の識別情報として説明する。
【０３５９】
また、UE_A10及び／又はMME_A40は、UE_A10に対してコアネットワーク_A90が許可するモビリティを示す情報を管理してもよい。なお、UE_A10に対してコアネットワーク_A90が許可するモビリティを示す情報は、モビリティタイプを用いて示される情報であってよい。言い換えると、UE_A10の識別情報とモビリティタイプとは対応づけられて管理されてもよい。ここで、コアネットワーク_A90が許可するモビリティタイプとは、オペレータポリシーや加入者情報などを基にMME_A40が許可するモビリティタイプであってよい。したがって、コアネットワーク_A90が許可するモビリティとは、言い換えるとMME_A40、及び/又はオペレータポリシー、及び/又は加入者情報が許可するモビリティタイプであってよい。なお、本実施形態では、こうした、UE_A10に対してコアネットワーク_A90が許可するモビリティを示す情報を第4の識別情報として説明する。
【０３６０】
また、UE_A10及び／又はMME_A40は、PDNコネクションやEPSベアラなどのUE_A10が確立する通信路に対して要求するモビリティを示す情報を管理してもよい。なお、PDNコネクションやEPSベアラなどのUE_A10が確立する通信路に対して要求するモビリティを示す情報は、モビリティタイプを用いて示される情報であってよい。言い換えると、UE_A10の確立する通信路の識別情報と、モビリティタイプとは対応づけられて管理されてもよい。ここで、通信路の識別情報は、APNやIPアドレスやPDNコネクションIDなどのPDNコネクションを識別する識別情報や、EPSベアラID等のEPSベアラの識別情報などであってよい。なお、本実施形態では、こうした、PDNコネクションやEPSベアラなどのUE_A10が確立する通信路に対して要求するモビリティを示す情報を第5の識別情報として説明する。
【０３６１】
また、UE_A10及び／又はMME_A40は、PDNコネクションやEPSベアラなどのUE_A10が確立する通信路に対して許可するモビリティを示す情報を管理してもよい。なお、PDNコネクションやEPSベアラなどのUE_A10が確立する通信路に対して許可するモビリティを示す情報は、モビリティタイプを用いて示される情報であってよい。言い換えると、UE_A10の確立する通信路の識別情報と、モビリティタイプとは対応づけられて管理されてもよい。ここで、通信路の識別情報は、APNやIPアドレスやPDNコネクションIDなどのPDNコネクションを識別する識別情報や、EPSベアラID等のEPSベアラの識別情報などであってよい。なお、本実施形態では、こうした、PDNコネクションやEPSベアラなどのUE_A10が確立する通信路に対して許可するモビリティを示す情報を第6の識別情報として説明する。
【０３６２】
また、UE_A10及び／又はMME_A40は、UE_A10のPDNコネクション確立後のモビリティを示す情報の変更を許可することを示す情報を管理してもよい。なお、UE_A10のPDNコネクション確立後のモビリティを示す情報の変更を許可することを示す情報は、モビリティタイプを用いて示される情報であってよい。言い換えると、UE_A10の識別情報とモビリティタイプとは対応づけられて管理されてもよい。なお、本実施形態では、こうしたUE_A10のPDNコネクション確立後のモビリティを示す情報の変更を許可することを示す情報を第7の識別情報として説明する。
【０３６３】
また、UE_A10及び／又はMME_A40は、コアネットワーク_A90のPDNコネクション確立後のモビリティを示す情報の変更を許可することを示す情報を管理してもよい。なお、コアネットワーク_A90のPDNコネクション確立後のモビリティを示す情報の変更を許可することを示す情報は、モビリティタイプを用いて示される情報であってよい。言い換えると、コアネットワーク_A90の識別情報とモビリティタイプとは対応づけられて管理されてもよい。なお、本実施形態では、こうしたコアネットワーク_A90のPDNコネクション確立後のモビリティを示す情報の変更を許可することを示す情報を第8の識別情報として説明する。
【０３６４】
また、UE_A10及び／又はMME_A40は、モビリティを示す情報の変更を要求することを示す情報を管理してもよい。なお、モビリティを示す情報の変更を要求することを示す情報は、要求する変更後のモビリティタイプを用いて示される情報であってよい。言い換えると、UE_A10、及び／又は、コアネットワーク_A90の識別情報と要求する変更後のモビリティタイプとは対応づけられて管理されてもよい。また、モビリティを示す情報の変更は、UE_A10、及び／又は、コアネットワーク_A90に対して行うものであってもよく、UE_A10、及び／又は、コアネットワーク_A90が持つ通信路に対して行うものであってもよい。なお、本実施形態では、こうしたモビリティを示す情報の変更を要求することを示す情報を第9の識別情報として説明する。
【０３６５】
また、UE_A10及び／又はMME_A40は、モビリティを示す情報の変更が承認されたことを示す情報を管理してもよい。なお、モビリティを示す情報の変更が承認されたことを示す情報は、承認された変更後のモビリティタイプを用いて示される情報であってよい。言い換えると、UE_A10、及び／又は、コアネットワーク_A90の識別情報と承認された変更後のモビリティタイプとは対応づけられて管理されてもよい。また、モビリティを示す情報の変更は、UE_A10、及び／又は、コアネットワーク_A90に対して行うものであってもよく、UE_A10、及び／又は、コアネットワーク_A90が持つ通信路に対して行うものであってもよい。なお、本実施形態では、こうしたモビリティを示す情報の変更が承認されたことを示す情報を第10の識別情報として説明する。
【０３６６】
ここで、第1の識別情報は、予めUE_A10に設定される識別情報であってよい。
【０３６７】
また、第2の識別情報は、オペレータポリシーや通信事業者の運用に応じてコアネットワーク_A90及び／又はMME_A40に設定される識別情報であってよい。
【０３６８】
また、第3の識別情報は、予めUE_A10に設定される識別情報であってもよいし、第1の識別情報に基づいて決定される識別情報であってよい。したがって、第1の識別情報と同じモビリティタイプであってよい。もしくはUEポリシーに応じて設定される第1の識別情報とは異なるモビリティタイプであってもよい。
【０３６９】
また、第4の識別情報は、オペレータポリシーや通信事業者の運用に応じてコアネットワーク_A90及び／又はMME_A40に設定される識別情報であってよい。加えて、第3の識別情報に基づいて決定される識別情報であってもよい。
【０３７０】
また、第5の識別情報は、予めUE_A10に設定される識別情報であってもよいし、第1の識別情報に基づいて決定される識別情報であってよい。したがって、第1の識別情報と同じモビリティタイプであってよい。もしくはUEポリシーに応じて設定される第1の識別情報とは異なるモビリティタイプであってもよい。加えて、アプリケーションに応じて決定される識別情報であってもよい。なお、UE_A10は複数の通信路が確立可能であり、UE_A10は、各通信路に対して異なるモビリティタイプを示す第5の識別情報を記憶してもよい。
【０３７１】
また、第6の識別情報は、オペレータポリシーや通信事業者の運用に応じてコアネットワーク_A90及び／又はMME_A40に設定される識別情報であってよい。加えて、第1の識別情報に基づいて決定される識別情報であってもよい。加えて、アプリケーションに応じて決定される識別情報であってもよい。なお、UE_A10は複数の通信路が確立可能であり、コアネットワーク_A90は、各通信路に対して異なるモビリティタイプを示す第6の識別情報を記憶してもよい。また、UE_A10は、1つ以上のこれらの識別情報をUEコンテキストに記憶してもよい。さらに、UE_A10は、第5の識別情報及び／又は第6の識別情報を、UEコンテキストにおいてPDNコネクション毎に記憶してもよい。より具体的には、アプリケーションを識別する情報や、TFT(Traffic Flow Template)等のフローを識別する情報や、EPSベアラID等のベアラ識別情報と対応づけて記憶してもよい。
【０３７２】
また、第7の識別情報は、予めUE_A10に設定される識別情報であってもよいし、UEポリシーに基づいて決定される識別情報であってよい。
【０３７３】
また、第8の識別情報は、オペレータポリシーや通信事業者の運用に応じてコアネットワーク_A90及び／又はMME_A40に設定される識別情報であってよい。加えて、第7の識別情報に基づいて決定される識別情報であってもよい。
【０３７４】
また、第9の識別情報は、第1から第6の識別情報の内の1以上の識別情報、及び／又は、UEポリシー、及び／又は、オペレータポリシーや通信事業者の運用に基づいて決定される識別情報であってよい。したがって、第9の識別情報は、第1の識別情報、及び／又は、第3の識別情報、及び／又は、第5の識別情報と同じモビリティタイプであってもよいし、第2の識別情報、及び／又は、第4の識別情報、及び／又は、第6の識別情報とは異なるモビリティタイプであってもよい。また、第9の識別情報は、第1の識別情報、及び／又は、第3の識別情報、及び／又は、第5の識別情報とは異なるモビリティタイプであってもよいし、第2の識別情報、及び／又は、第4の識別情報、及び／又は、第6の識別情報と同じモビリティタイプであってもよい。
【０３７５】
また、第10の識別情報は、第9の識別情報、及び／又は、UEポリシー、及び／又は、オペレータポリシーや通信事業者の運用に基づいて決定される識別情報であってよい。したがって、第10の識別情報は、第9の識別情報と同じモビリティタイプであってもよいし、第9の識別情報とは異なるモビリティタイプであってもよい。また、第10の識別情報は、モビリティタイプの変更が承認されたことを示す識別情報であってもよく、モビリティタイプの変更が承認されなかったことを示す識別情報であってもよく、モビリティタイプの変更が承認されなかった理由を示す識別情報であってもよい。
【０３７６】
なお、UE_A10は、1つ以上のこれらの識別情報をUEコンテキストに記憶してもよい。さらに、UE_A10は、第5の識別情報及び／又は第6の識別情報を、UEコンテキストにおいてPDNコネクション毎に記憶してもよい。より具体的には、アプリケーションを識別する情報や、TFT(Traffic Flow Template)等のフローを識別する情報や、EPSベアラID等のベアラ識別情報と対応づけて記憶してもよい。
【０３７７】
さらに、MME_A40は、1つ以上のこれらの識別情報をMMEコンテキストに記憶してもよい。さらに、MME_A40は、第5の識別情報及び／又は第6の識別情報を、MMEコンテキストにおいてPDNコネクション毎に記憶してもよい。より具体的には、アプリケーションを識別する情報や、TFT(Traffic Flow Template)等のフローを識別する情報や、EPSベアラID等のベアラ識別情報と対応づけて記憶してもよい。
【０３７８】
次に、モビリティタイプの具体的な例を説明する。例えば、第1のタイプは、コアネットワーク_A90が、UE_A10の3GPPアクセスネットワーク内のモビリティをサポートすることを示すタイプであってもよい。
【０３７９】
第2のタイプは、UE_A10のnon-3GPPアクセスネットワーク内のモビリティをサポートすることを示すタイプであってよい。
【０３８０】
第3のタイプは、コアネットワーク_A90が、UE_A10の3GPPアクセスネットワークとnon-3GPPアクセスネットワーク間のモビリティをサポートすることを示すタイプであってよい。
【０３８１】
第4のタイプは、UE_A10のモビリティをサポートしないことを示す情報であってもよい。
【０３８２】
第5のタイプは、アクティブモード時のハンドオーバーをサポートすることを示すタイプであってよい。
【０３８３】
第6のタイプは、アクティブモード時のハンドオーバーは許可しないことを示すタイプであってよい。
【０３８４】
第6のタイプは、アクティブモード時のハンドオーバーは許可せず、アイドルモード時のハンドオーバーは許可することを示すタイプであってよい。
【０３８５】
第7のタイプは、アイドルモード時のハンドオーバーは許可することを示すタイプであってよい。
【０３８６】
なお、モビリティタイプが示す情報は上記に限らない。また、上記の1から7のタイプを任意に組み合わせたものをモビリティタイプの一つとしてもよい。
【０３８７】
なお、上述した各識別情報に対応するモビリティタイプは異なるモビリティタイプであってもよいし、同一のモビリティタイプであってもよい。
【０３８８】
なお、UE_A10、及び／又は、eNB_A45、及び／又は、MME_A40、及び／又は、SGW_A35、及び／又は、PGW_A30が各識別情報を保持する場合、UE_A10、及び／又は、eNB_A45、及び／又は、MME_A40、及び／又は、SGW_A35、及び／又は、PGW_A30は、各識別情報が示す能力を有してもよい。
【０３８９】
また、本実施形態において、第1から第8の識別情報のうちの2つ以上の識別情報を同一の制御メッセージに含めて送信する場合には、各識別情報をそれぞれ含めて送信してもよいし、各識別情報が示す意味を併せ持つ一つの識別情報として制御メッセージにふくめてもよい。
【０３９０】
なお、各識別情報は、フラグ又はパラメータとして構成される情報要素であってよい。
【０３９１】
[1.3.1.PDN接続手続き例]
次に、PDN接続手続きの例について説明する。なお、PDN接続手続きはUE_A10が主導して開始する手続きである。なお、PDN接続手続きでは、UE_A10が、PDN_A5との間でユーザデータの送受信を行う通信路を確立するための手続きである。言い換えると、PDN接続手続きは、UE_A10が、PGW_A30との間で、ユーザデータの送受信に用いるPDNコネクションを確立するための手続きである。
【０３９２】
なお、UE_A10がPDN接続手続きは、端末電源投入時など、コアネットワーク_A90へ初期接続時に実行するアタッチ手続き内で実行されてもよいし。アタッチ後、任意のタイミングで実行されてもよい。
【０３９３】
UE_A10は、PDN接続手続きの完了により、PGW_A30との間でPDNコネクションを確立する。
【０３９４】
なお、UE_A10、及び／又は、コアネットワーク_A90は、PDN接続手続きを複数回行うことで、複数のPDNコネクションを確立することができる。
【０３９５】
UE_A10、及び／又は、コアネットワーク_A90は、確立済みのPDNコネクションとは異なるモビリティタイプを示す識別情報を各メッセージに含めてPDN接続手続きを行うことにより、モビリティタイプが異なるPDNコネクションを新たに確立することができる。なお、確立済みのPDNコネクションとは異なるモビリティタイプを示す識別情報とは、第1から第8の識別情報のいずれであってもよい。
【０３９６】
もしくは、PDNコネクションの確立毎にモビリティタイプを決定するのではなく、アタッチ手続き時に実行するPDN接続手続きにおいてモビリティタイプ決定し、その後確立するPDNコネクションはすべて同様のモビリティタイプとしてもよい。
【０３９７】
つまり、アタッチ手続き以降に実行するPDN接続手続きではモビリティタイプを決定するための各識別情報の送受信、及び各識別情報の送受信に基づく各処理を実行しなくてもよい。言い換えると、UE_A10に対するモビリティタイプをアタッチ手続き内で実行するPDN接続手続きにおいて決定してもよい。
【０３９８】
次に、PDN接続手続き例の詳細を説明する。
【０３９９】
以下、図23を用いてPDN接続手続きの手順の例を説明する。
【０４００】
まず、UE_A10はPDN接続要求メッセージをMME_A40に送信する(S2302)。なお、UE_A10はPDN接続要求メッセージをeNB_A45に送信し、送信されたPDN接続要求メッセージはeNB_A45を介してMME_A40に転送されてもよい。
【０４０１】
UE_A10は、すくなくとも第1の識別情報、及び／又は、第3の識別情報、及び／又は、第5の識別情報、及び／又は、第7の識別情報をPDN接続要求メッセージに含めてもよい。UE_A10は、第1の識別情報、及び／又は、第3の識別情報、及び／又は、第5の識別情報、及び／又は、第7の識別情報を含めてPDN接続要求メッセージを送信することにより、モビリティタイプの変更が可能なPDNコネクションの確立を要求してもよいし、要求するUE_A10のモビリティタイプを示してもよい。
【０４０２】
例えば、UE_A10は、UE_A10のモビリティタイプとして、第1から第7のタイプのいずれかのタイプ、及び／又は、第1から第7のタイプの内任意のものを組合せたタイプのモビリティタイプのPDNコネクション、及び／又は、デフォルトベアラの確立を要求してもよい。
【０４０３】
また、UE_A10は、第1から第7のタイプのいずれかのタイプではなくそれ以外のタイプのモビリティタイプのPDNコネクション、及び／又は、デフォルトベアラの確立を要求してもよい。
【０４０４】
また、UE_A10はPDN接続要求メッセージにAPNを含めて送信してもよい。なお、UE_A10は、異なるAPNをPDN接続要求メッセージに含めることにより、異なるPDNコネクションを確立することを要求してもよい。
【０４０５】
もしくは、UE_A10はアタッチ手続きにおいてPDN接続手続きを実行する場合、他の方法によりAPNをコアネットワーク_A90に通知してもよい。例えば、UE_A10は、PDN接続要求メッセージにAPNを含めるのではなく、アタッチ手続き内でUE_A10がコアネットワーク_A90に送信するその他の制御メッセージに含めてAPNを送信してもよい。
【０４０６】
MME_A40は、PDN接続要求メッセージを受信する。さらに、MME_A40は、PDN接続要求メッセージの受信に基づいて、第1の識別情報、及び／又は、第3の識別情報、及び／又は、第5の識別情報、及び／又は、第7の識別情報を取得する。
【０４０７】
MME_A40は、PDN接続要求メッセージに含まれる情報、及び／又は、加入者情報、及び／又は、オペレータポリシー、及び／又は、MME_A40がもつ識別情報に基づいて、UE_A10に対してPDNコネクションの確立、及び／又は、UE_A10のモビリティタイプを決定してもよい。
【０４０８】
例えば、MME_A40は、第3の識別情報、及び／又は、第5の識別情報で示されたモビリティタイプを、UE_A10のモビリティタイプとして決定してもよい。
【０４０９】
また、MME_A40は、第3の識別情報、及び／又は、第5の識別情報で示されたモビリティタイプではなく、デフォルトのモビリティタイプ、及び／又は、加入者情報やオペレータポリシーに基づいたモビリティタイプを、UE_A10のモビリティタイプとして決定してもよい。
【０４１０】
また、MME_A40は、第1の識別情報、及び／又は、第7の識別情報の受信に基づいて、モビリティタイプの変更が可能なPDNコネクション、及び／又は、デフォルトベアラを確立することを決定してもよい。
【０４１１】
なお、MME_A40は、UE_A10のモビリティタイプとして、第1から第7のタイプのいずれかのタイプ、及び／又は、第1から第7のタイプの内任意のものを組合せたタイプを示してもよい。
【０４１２】
また、MME_A40は、UE_A10のモビリティタイプとして、第1から第7のタイプのいずれかのタイプではなくそれ以外のタイプを示してよい。
【０４１３】
なお、UE_A10のモビリティタイプは、確立するPDNコネクションに対応するモビリティタイプであってもよく、デフォルトベアラに対応するモビリティタイプであってもよく、EPSベアラに対応するモビリティタイプであってもよい。
【０４１４】
また、MME_A40は、決定したUE_A10のモビリティタイプを、第4の識別情報、及び／又は、第6の識別情報に含めて送信してもよい。
【０４１５】
さらに、MME_A40は、第4の識別情報、及び／又は、第6の識別情報をTFTと対応づけて送信してもよい。
【０４１６】
なお、UE_A10のモビリティタイプの決定は、上記に限らない。
【０４１７】
MME_A40は、PDN接続要求メッセージの受信、及び／又は、モビリティタイプの決定に基づいて、SGW_A35にセッション生成要求メッセージを送信する(S2304)。
【０４１８】
MME_A40は、すくなくとも第1の識別情報、及び／又は、第3の識別情報、及び／又は、第5の識別情報、及び／又は、第7の識別情報、及び／又は、第4の識別情報、及び／又は、第6の識別情報をセッション生成要求メッセージに含めて送信してもよい。
【０４１９】
ここで、上記の説明では、MME_A40がモビリティタイプを決定すると説明したが、MME_A40ではなく、PGW_A30がUE_A10のモビリティタイプを決定してもよい。その場合、MME_A40は第4の識別情報、及び／又は、第6の識別情報を含めずにセッション生成要求メッセージを送信してもよい。
【０４２０】
SGW_A35は、セッション生成要求メッセージを受信する。さらに、SGW_A35は、セッション生成要求メッセージの受信に基づいて、第1の識別情報、及び／又は、第3の識別情報、及び／又は、第5の識別情報、及び／又は、第7の識別情報、及び／又は、第4の識別情報、及び／又は、第6の識別情報を取得する。
【０４２１】
SGW_A35は、セッション生成要求メッセージの受信に基づいて、PGW_A30にセッション生成要求メッセージを送信する(S2306)。
【０４２２】
SGW_A35は、すくなくとも第1の識別情報、及び／又は、第3の識別情報、及び／又は、第5の識別情報、及び／又は、第7の識別情報、及び／又は、第4の識別情報、及び／又は、第6の識別情報をセッション生成要求メッセージに含めて送信してもよい。
【０４２３】
PGW_A30は、セッション生成要求メッセージを受信する。さらに、PGW_A30は、セッション生成要求メッセージの受信に基づいて、第1の識別情報、及び／又は、第3の識別情報、及び／又は、第5の識別情報、及び／又は、第7の識別情報、及び／又は、第4の識別情報、及び／又は、第6の識別情報を取得する。
【０４２４】
PGW_A30は、セッション生成要求メッセージに含まれる情報、及び／又は、加入者情報、及び／又は、オペレータポリシー、及び／又は、PGW_A30がもつ識別情報に基づいて、UE_A10に対してモビリティタイプを決定してもよい。
【０４２５】
例えば、PGW_A30は、第3の識別情報、及び／又は、第5の識別情報で示されたモビリティタイプを、UE_A10のモビリティタイプとして決定してもよい。
【０４２６】
また、PGW_A30は、第3の識別情報、及び／又は、第5の識別情報で示されたモビリティタイプではなく、デフォルトのモビリティタイプ、及び／又は、加入者情報やオペレータポリシーに基づいたモビリティタイプを、UE_A10のモビリティタイプとして決定してもよい。
【０４２７】
また、PGW_A30は、第1の識別情報、及び／又は、第7の識別情報の受信に基づいて、モビリティタイプの変更が可能なPDNコネクション、及び／又は、デフォルトベアラを確立することを決定してもよい。
【０４２８】
なお、PGW_A30は、UE_A10のモビリティタイプとして、第1から第7のタイプのいずれかのタイプ、及び／又は、第1から第7のタイプの内任意のものを組合せたタイプを示してもよい。
【０４２９】
また、PGW_A30は、UE_A10のモビリティタイプとして、第1から第7のタイプのいずれかのタイプではなくそれ以外のタイプを示してよい。
【０４３０】
なお、UE_A10のモビリティタイプは、確立するPDNコネクションに対応するモビリティタイプであってもよく、デフォルトベアラに対応するモビリティタイプであってもよく、EPSベアラに対応するモビリティタイプであってもよい。
【０４３１】
また、PGW_A30は、決定したUE_A10のモビリティタイプを、第4の識別情報、及び／又は、第6の識別情報に含めて送信してもよい。
【０４３２】
さらに、PGW_A30は、第4の識別情報、及び／又は、第6の識別情報をTFTと対応づけて送信してもよい。
【０４３３】
なお、UE_A10のモビリティタイプの決定は、上記に限らない。
【０４３４】
ここで、上記の説明では、PGW_A30がUE_A10のモビリティタイプを決定する場合について説明したが、MME_A40が、UE_A10のモビリティタイプを決定した場合、PGW_A30はUE_A10のモビリティタイプを決定しなくもよい。
【０４３５】
言い換えると、PGW_A30は、第4の識別情報、及び／又は、第6の識別情報を受信した場合、UE_A10のモビリティタイプを決定しなくてもよい。
【０４３６】
PGW_A30は、セッション生成要求メッセージの受信、及び／又は、モビリティタイプの決定に基づいて、SGW_A35にセッション生成応答メッセージを送信する(S2310)。
【０４３７】
PGW_A30は、すくなくとも第2の識別情報、及び／又は、第4の識別情報、及び／又は、第6の識別情報、及び／又は、第8の識別情報をセッション生成応答メッセージに含めてもよい。
【０４３８】
なお、セッション生成応答メッセージは、セッション生成要求メッセージに対応する応答メッセージであってもよい。
【０４３９】
SGW_A35は、セッション生成応答メッセージを受信する。さらに、SGW_A35は、セッション生成応答メッセージの受信に基づいて、第2の識別情報、及び／又は、第4の識別情報、及び／又は、第6の識別情報、及び／又は、第8の識別情報を取得する。
【０４４０】
SGW_A35は、セッション生成応答メッセージの受信に基づいて、MME_A40にセッション生成応答メッセージを送信する(S2312)。
【０４４１】
SGW_A35は、すくなくとも第2の識別情報、及び／又は、第4の識別情報、及び／又は、第6の識別情報、及び／又は、第8の識別情報をセッション生成応答メッセージに含めてもよい。
【０４４２】
MME_A40は、セッション生成応答メッセージを受信する。さらに、MME_A40は、セッション生成応答メッセージの受信に基づいて、第2の識別情報、及び／又は、第4の識別情報、及び／又は、第6の識別情報、及び／又は、第8の識別情報を取得する。
【０４４３】
MME_A40は、セッション生成応答メッセージの受信に基づいて、eNB_A45にデフォルトEPSベアラコンテキストアクティブ化要求メッセージを送信する(S2314)。
【０４４４】
MME_A40は、すくなくとも第2の識別情報、及び／又は、第4の識別情報、及び／又は、第6の識別情報、及び／又は、第8の識別情報をデフォルトEPSベアラコンテキストアクティブ化要求メッセージに含めてもよい。
【０４４５】
なお、デフォルトEPSベアラコンテキストアクティブ化要求メッセージは、PDN接続要求メッセージに対する応答メッセージであってよい。
【０４４６】
また、MME_A40はデフォルトEPSベアラコンテキストアクティブ化要求メッセージにAPN、及び／又は、PDNアドレス、及び／又は、EPSベアラIDを含めて送信してもよい。
【０４４７】
なお、MME_A40は、APN、及び／又は、PDNアドレス、及び／又は、EPSベアラIDをデフォルトEPSベアラコンテキストアクティブ化要求メッセージに含めることにより、確立するPDNコネクション、及び／又は、デフォルトベアラを識別してもよい。例えば、MME_A40は、異なるAPN、及び／又は、異なるPDNアドレス、及び／又は、異なるEPSベアラIDをデフォルトEPSベアラコンテキストアクティブ化要求メッセージに含めることにより、異なるPDNコネクションを確立することを示してもしてもよい。
【０４４８】
また、MME_A40は、送信したAPN、及び／又は、PDNアドレス、及び／又は、EPSベアラIDをMMEコンテキストに記憶してもよい。
【０４４９】
また、MME_A40は、送信した各識別情報が示す情報を、送信したAPN、及び／又は、PDNアドレス、及び／又は、EPSベアラIDと対応づけて記憶してもよい。
【０４５０】
eNB_A45は、デフォルトEPSベアラコンテキストアクティブ化要求メッセージを受信し、デフォルトEPSベアラコンテキストアクティブ化要求メッセージを含めたRRCメッセージをUE_A10に送信する(S2316)。なお、RRCメッセージは、RRCコネクション再設定要求メッセージであってよい。
【０４５１】
UE_A10は、デフォルトEPSベアラコンテキストアクティブ化要求メッセージを含むRRCメッセージを受信する。さらに、第2の識別情報、及び／又は、第4の識別情報、及び／又は、第6の識別情報、及び／又は、第8の識別情報がデフォルトEPSベアラコンテキストアクティブ化要求メッセージに含まれている場合には、UE_A10は各識別情報を取得する。
【０４５２】
また、UE_A10は、デフォルトEPSベアラコンテキストアクティブ化要求メッセージの受信に基づいて、APN、及び／又は、PDNアドレス、及び／又は、EPSベアラIDを受信してもよい。
【０４５３】
なお、UE_A10は、受信するAPN、及び／又は、PDNアドレス、及び／又は、EPSベアラIDに基づいて、確立するPDNコネクション、及び／又は、デフォルトベアラを識別してもよい。例えば、UE_A10は、異なるAPN、及び／又は、異なるPDNアドレス、及び／又は、異なるEPSベアラIDを受信することに基づいて、異なるPDNコネクション、及び／又は、デフォルトベアラを確立することを認識してもよい。
【０４５４】
また、UE_A10は、受信したAPN、及び／又は、PDNアドレス、及び／又は、EPSベアラIDをUEコンテキストに記憶してもよい。
【０４５５】
また、UE_A10は、受信した各識別情報が示す情報を、受信したAPN、及び／又は、PDNアドレス、及び／又は、EPSベアラIDと対応づけて記憶してもよい。
【０４５６】
UE_A10は、デフォルトEPSベアラコンテキストアクティブ化要求メッセージの受信、及び／又は、デフォルトEPSベアラコンテキストアクティブ化要求メッセージに含まれる情報に基づいて、モビリティタイプの変更が可能なPDNコネクション、及び／又は、デフォルトベアラの確立、及び／又は、決定されたUE_A10のモビリティタイプを認識してもよい。
【０４５７】
より詳細には、UE_A10は、第2の識別情報、及び／又は、第8の識別情報の受信に基づいて、モビリティタイプの変更が可能なPDNコネクション、及び／又は、デフォルトベアラが確立されたことを認識してもよい。
【０４５８】
また、UE_A10は、受信した第4の識別情報、及び／又は、第6の識別情報が示すモビリティタイプをUE_A10のモビリティタイプとして認識してもよい。
【０４５９】
また、受信したRRCメッセージに応答するために、UE_A10はRRCメッセージをeNB_A45に送信する(S2318)。RRCメッセージは、RRCコネクション再設定完了メッセージであってよい。
【０４６０】
eNB_A45は、RRCコネクション再設定メッセージを受信し、受信に基づいてベアラ設定メッセージをMME_A40に送信する(S2320)。
【０４６１】
また、UE_A10は、デフォルトEPSベアラコンテキストアクティブ化要求メッセージの受信に基づいて、デフォルトEPSベアラコンテキストアクティブ化受諾メッセージを含むRRCメッセージをeNB_A45に送信する(S2322)。ここで、デフォルトEPSベアラコンテキストアクティブ化受諾メッセージは、デフォルトEPSベアラコンテキストアクティブ化要求メッセージに対する応答メッセージであってよい。
【０４６２】
なお、デフォルトEPSベアラコンテキストアクティブ化受諾メッセージを含めて送信するRRCメッセージは、Direct Transferメッセージであってよい。
【０４６３】
eNB_45は、デフォルトEPSベアラコンテキストアクティブ化受諾メッセージが含まれるRRCメッセージを受信し、デフォルトEPSベアラコンテキストアクティブ化受諾メッセージをMME_A40に送信する(S2324)。
【０４６４】
MME_A40は、デフォルトEPSベアラコンテキストアクティブ化受諾メッセージを受信する。
【０４６５】
MME_A40は、デフォルトEPSベアラコンテキストアクティブ化受諾メッセージの受信に基づいて、SGW_A35にベアラ変更要求メッセージを送信してもよい(S2326)。
【０４６６】
SGW_A35は、ベアラ変更要求メッセージを受信する。
【０４６７】
SGW_A35は、ベアラ変更要求メッセージの受信に基づいて、MME_A40にベアラ変更応答メッセージを送信する(S2328)。
【０４６８】
なお、ベアラ変更応答メッセージは、ベアラ変更要求メッセージに対する応答メッセージであってよい。
【０４６９】
MME_A40は、ベアラ変更応答メッセージを受信する。
【０４７０】
以上の手順により、UE_A10はネットワークへ接続し、PDN接続手続きを完了する。PDN接続手続きの完了に伴い、UE_A10、及び／又は、コアネットワーク_A90は、PDNコネクション、及び／又は、デフォルトベアラを確立する。また、UE_A10、及び／又は、コアネットワーク_A90は、PDN接続手続きの完了に伴い、EPSベアラを確立してもよい。
【０４７１】
言い換えると、UE_A10、及び／又は、コアネットワーク_A90は、デフォルトEPSベアラコンテキストアクティブ化要求メッセージ、及び／又は、デフォルトEPSベアラコンテキストアクティブ化受諾メッセージの送受信に基づいて、PDNコネクション、及び／又は、デフォルトベアラを確立する。
【０４７２】
また、PDN接続手続きの完了に伴い、UE_A10、及び／又は、コアネットワーク_A90は確立したPDNコネクション、及び／又は、デフォルトベアラに対応するUE_A10のモビリティタイプ、及び／又は、EPSベアラに対応するUE_A10のモビリティタイプを決定してもよい。
【０４７３】
なお、UE_A10は、PDN接続手続きにより、図21(b)〜(d)の何れかで説明したUEコンテキストをコアネットワーク_A90から取得し、記憶することができる。
【０４７４】
より詳細には、UE_A10は、PDN接続手続きにより、選択されたUE_A10のモビリティタイプをコアネットワーク_A90から取得し、PDNコネクションごとのUEコンテキスト、及び／又は、ベアラごとのUEコンテキストに記憶することができる。
【０４７５】
言い換えると、UE_A10は、デフォルトEPSベアラコンテキストアクティブ化要求メッセージの受信、及び／又は、デフォルトEPSベアラコンテキストアクティブ化受諾メッセージの送信に基づいて、確立するPDNコネクション、及び／又は、デフォルトベアラ、及び／又は、EPSベアラに対応づけて選択されたUE_A10のモビリティタイプ、及び／又は、モビリティタイプに関する情報を記憶することができる。
【０４７６】
より詳細には、UE_A10は、デフォルトEPSベアラコンテキストアクティブ化要求メッセージの受信、及び／又は、デフォルトEPSベアラコンテキストアクティブ化受諾メッセージの受信に基づいて、選択されたUE_A10のモビリティタイプ、及び／又は、モビリティタイプに関する情報をPDNコネクションごとのUEコンテキスト、及び／又は、ベアラごとのUEコンテキストに記憶することができる。
【０４７７】
なお、モビリティタイプに関する情報とは、第2の識別情報、及び／又は、第4の識別情報、及び／又は、第6の識別情報、及び／又は、第8の識別情報であってもよい。
【０４７８】
また、MME_A40は、PDN接続手続きにより、選択されたUE_A10のモビリティタイプをPDNコネクションごとのMMEコンテキスト、及び／又は、EPSベアラごとのMMEコンテキストに記憶することができる。
【０４７９】
言い換えると、MME_A40は、デフォルトEPSベアラコンテキストアクティブ化要求メッセージの受信、及び／又は、デフォルトEPSベアラコンテキストアクティブ化受諾メッセージの受信に基づいて、確立するPDNコネクション、及び／又は、デフォルトベアラに対応づけて選択されたUE_A10のモビリティタイプ、及び／又は、モビリティタイプに関する情報を記憶することができる。
【０４８０】
より詳細には、MME_A40は、デフォルトEPSベアラコンテキストアクティブ化要求メッセージの受信、及び／又は、デフォルトEPSベアラコンテキストアクティブ化受諾メッセージの受信に基づいて、選択されたUE_A10のモビリティタイプ、及び／又は、モビリティタイプに関する情報をPDNコネクションごとのMMEコンテキスト、及び／又は、EPSベアラごとのMMEコンテキストに記憶することができる。
【０４８１】
また、SGW_A35、及び／又は、PGW_A30は、PDN接続手続きにより、選択されたUE_A10のモビリティタイプをPDNコネクションごとのEPSベアラコンテキスト、及び／又は、EPSベアラごとのEPSベアラコンテキストに記憶することができる。
【０４８２】
なお、UE_A10は上述したPDN接続手続きを複数回実行して複数のPDNコネクションを確立してもよい。その際、PDNコネクション手続きにおいて決定され、送受信される各識別情報は、PDN接続手続き毎に異なる識別情報であってよい。
【０４８３】
例えば、APN、IPアドレス、ベアラIDは、PDN接続毎に異なる情報であってよい。さらに、第1から第10の識別情報の一部又はすべてはPDN接続毎に異なる情報であってよい。
【０４８４】
上記したPDN接続により、UE_A10に対するモビリティタイプ、もしくはUE_A10が確立するPDNコネクションに対するモビリティタイプを決定することができる。
【０４８５】
[1.3.1.1.PDN接続手続きの変形例]
上述したPDN接続手続き例におけるコアネットワーク_A90は、図2を用いて説明したMME_A40、SGW_A35、PGW_A30を含む構成のコアネットワークの場合のPDN接続手続きを説明したが、コアネットワーク_A90はこれらとは異なる別の制御装置を含んで構成されるものであってもよい。
【０４８６】
その場合、本手続きで説明したUE_A10が送信するPDN接続要求メッセージやデフォルトEPSベアラコンテキストアクティブ化受諾メッセージなどのNASメッセージは、MME_A40ではなく、コアネットワーク_A90内の制御装置が受信する。
【０４８７】
したがって、これまで説明したMME_A40のNASメッセージの受信及び処理は、コアネットワーク_A90内の制御装置が行うものとして置き換えることができる。
【０４８８】
さらに、これまで説明したMME_A40のデフォルトEPSベアラコンテキストアクティブ化要求メッセージなどのNASメッセージの送信及び処理は、コアネットワーク_A90内の制御装置が行うものとして置き換えることができる。
【０４８９】
[1.3.2.モビリティタイプ変更手続き例]
まず、モビリティタイプ変更手続きの例について説明する。なお、モビリティタイプ変更手続きはUE_A10、及び／又は、コアネットワーク_A90が主導して開始する手続きである。言い換えると、モビリティタイプ変更手続きには、UE_A10が主導して開始する手続きと、MME_A40、及び／又は、PGW_A30が主導して開始する手続きがある。
【０４９０】
なお、モビリティタイプ変更手続きは、UE_A10、及び／又は、MME_A40、及び／又は、PGW_A30が、UE_A10のモビリティタイプを変更するための手続きである。
【０４９１】
なお、UE_A10、及び／又は、MME_A40、及び／又は、PGW_A30がモビリティタイプ変更手続きを開始は、アタッチ手続き、及び／又は、PDN接続手続きの完了時であってよい。また、これに関わらず、UE_A10、及び／又は、MME_A40、及び／又は、PGW_A30は、UE_A10がコアネットワーク_A90に接続している状態であれば任意のタイミングでモビリティタイプ変更手続きを開始してもよい。
【０４９２】
なお、モビリティタイプ変更手続きを開始するトリガは、UE_A10の操作であってもよいし、オペレータポリシーであってもよいし、加入者情報であってもよい。
【０４９３】
より詳細には、UE_A10主導のモビリティタイプ変更手続きを開始するトリガは、UE_A10の操作に基づくものであってもよい。
【０４９４】
また、コアネットワーク_A90主導のモビリティタイプ変更手続きを開始するトリガは、UE_A10が送信するベアラリソース変更要求メッセージの受信に基づくものではなく、オペレータのネットワークポリシーや加入者情報に基づくものであってもよい。
【０４９５】
UE_A10、及び／又は、MME_A40、及び／又は、PGW_A30は、モビリティタイプ変更手続きの完了により、新たなモビリティタイプに基づくハンドオーバーが可能になる。
【０４９６】
なお以下では、UE_A10主導のモビリティタイプ変更手続きの詳細を、第1のモビリティタイプ変更手続き例として説明する。更に、コアネットワーク_A90主導のモビリティタイプ変更手続きの詳細を第2のモビリティタイプ変更手続き例として説明する。
【０４９７】
[1.3.2.1.第1のモビリティタイプ変更手続き例]
第1のモビリティタイプ変更手続きは、UE_A10主導のモビリティタイプ変更手続きである。
【０４９８】
以下、図24を用いて第1のモビリティタイプ変更手続きの手順の例を説明する。
【０４９９】
まず、UE_A10はベアラリソース変更要求メッセージをMME_A40に送信する(S2402)。なお、UE_A10はベアラリソース変更要求メッセージをeNB_A45に送信し、送信されたベアラリソース変更要求メッセージはeNB_A45を介してMME_A40に転送されてもよい。
【０５００】
UE_A10は、すくなくとも第9の識別情報をベアラリソース変更要求メッセージに含めてもよい。UE_A10は、第9の識別情報を含めてベアラリソース変更要求メッセージを送信することにより、UE_A10のモビリティタイプの変更を要求してもよいし、要求する変更後のUE_A10のモビリティタイプを要求してもよい。
【０５０１】
なお、第9の識別情報は、UE_A10がコアネットワーク_A90から取得した第2の識別情報、及び／又は、第4の識別情報、及び／又は、第6の識別情報が示すモビリティタイプとは異なるモビリティタイプを示す情報であってよい。
【０５０２】
例えば、UE_A10は、UE_A10のモビリティタイプを、第1から第7のタイプのいずれかのタイプ、及び／又は、第1から第7のタイプの内任意のものを組合せたタイプへ変更することを要求してもよいし、第1から第7のタイプのいずれかのタイプではなくそれ以外のタイプへ変更することを要求してもよい。
【０５０３】
MME_A40は、ベアラリソース変更要求メッセージを受信する。さらに、MME_A40は、ベアラリソース変更要求メッセージの受信に基づいて、第9の識別情報を取得する。
【０５０４】
MME_A40は、ベアラリソース変更要求メッセージに含まれる情報、及び／又は、加入者情報、及び／又は、オペレータポリシー、及び／又は、MME_A40がもつ識別情報に基づいて、UE_A10に対してモビリティタイプの変更、及び／又は、変更後のUE_A10のモビリティタイプを決定してもよい。
【０５０５】
例えば、MME_A40は、第9の識別情報で示されたモビリティタイプを、変更後のUE_A10のモビリティタイプとして決定してもよい。
【０５０６】
また、MME_A40は、第9の識別情報で示されたモビリティタイプではなく、デフォルトのモビリティタイプ、及び／又は、加入者情報やオペレータポリシーに基づいたモビリティタイプを、変更後のUE_A10のモビリティタイプとして決定してもよい。
【０５０７】
なお、MME_A40は、UE_A10のモビリティタイプとして、第1から第7のタイプのいずれかのタイプ、及び／又は、第1から第7のタイプの内任意のものを組合せたタイプを示してもよい。
【０５０８】
また、MME_A40は、UE_A10のモビリティタイプとして、第1から第7のタイプのいずれかのタイプではなくそれ以外のタイプを示してよい。
【０５０９】
なお、UE_A10のモビリティタイプは、PDNコネクションに対応するモビリティタイプであってもよく、デフォルトベアラに対応するモビリティタイプであってもよく、EPSベアラに対応するモビリティタイプであってもよい。
【０５１０】
また、MME_A40は、変更後のUE_A10のモビリティタイプを、第10の識別情報に含めて送信してもよい。
【０５１１】
なお、UE_A10のモビリティタイプの変更方法は、上記に限らない。
【０５１２】
MME_A40は、ベアラリソース変更要求メッセージの受信、及び／又は、モビリティタイプの決定に基づいて、SGW_A35にベアラリソースコマンドメッセージを送信する(S2404)。
【０５１３】
MME_A40は、すくなくとも第9の識別情報、及び／又は、第10の識別情報をベアラリソースコマンドメッセージに含めて送信してもよい。
【０５１４】
ここで、上記の説明では、MME_A40が、UE_A10のモビリティタイプの変更を決定すると説明したが、MME_A40ではなく、PGW_A30がUE_A10のモビリティタイプの変更を決定してもよい。その場合、MME_A40は第10の識別情報を含めずにベアラリソースコマンドメッセージを送信してもよい。
【０５１５】
SGW_A35は、ベアラリソースコマンドメッセージを受信する。さらに、SGW_A35は、ベアラリソースコマンドメッセージの受信に基づいて、第9の識別情報、及び／又は、第10の識別情報を取得する。
【０５１６】
SGW_A35は、ベアラリソースコマンドメッセージの受信に基づいて、PGW_A30にベアラリソースコマンドメッセージを送信する(S2406)。
【０５１７】
SGW_A35は、すくなくとも第9の識別情報、及び／又は、第10の識別情報をベアラリソースコマンドメッセージに含めて送信してもよい。
【０５１８】
PGW_A30は、ベアラリソースコマンドメッセージを受信する。さらに、PGW_A30は、ベアラリソースコマンドメッセージの受信に基づいて、第9の識別情報、及び／又は、第10の識別情報を取得する。
【０５１９】
PGW_A30は、ベアラリソースコマンドメッセージに含まれる情報、及び／又は、加入者情報、及び／又は、オペレータポリシー、及び／又は、PGW_A30がもつ識別情報に基づいて、UE_A10に対してモビリティタイプの変更、及び／又は、変更後のUE_A10のモビリティタイプを決定してもよい。
【０５２０】
例えば、PGW_A30は、第9の識別情報で示されたモビリティタイプを、変更後のUE_A10のモビリティタイプとして決定してもよい。
【０５２１】
また、PGW_A30は、第9の識別情報で示されたモビリティタイプではなく、デフォルトのモビリティタイプ、及び／又は、加入者情報やオペレータポリシーに基づいたモビリティタイプを、変更後のUE_A10のモビリティタイプとして決定してもよい。
【０５２２】
なお、PGW_A30は、UE_A10のモビリティタイプとして、第1から第7のタイプのいずれかのタイプ、及び／又は、第1から第7のタイプの内任意のものを組合せたタイプを示してもよい。
【０５２３】
また、PGW_A30は、UE_A10のモビリティタイプとして、第1から第7のタイプのいずれかのタイプではなくそれ以外のタイプを示してよい。
【０５２４】
なお、UE_A10のモビリティタイプは、PDNコネクションに対応するモビリティタイプであってもよく、デフォルトベアラに対応するモビリティタイプであってもよく、EPSベアラに対応するモビリティタイプであってもよい。
【０５２５】
また、PGW_A30は、変更後のUE_A10のモビリティタイプを、第10の識別情報に含めて送信してもよい。
【０５２６】
なお、UE_A10のモビリティタイプの変更方法は、上記に限らない。
【０５２７】
ここで、上記の説明では、PGW_A30が、UE_A10のモビリティタイプの変更を決定する場合について説明したが、MME_A40が、UE_A10のモビリティタイプの変更を決定した場合、PGW_A30はUE_A10のモビリティタイプの変更を決定しなくもよい。
【０５２８】
言い換えると、PGW_A30は、第10の識別情報を受信した場合、UE_A10のモビリティタイプの変更を決定しなくてもよい。
【０５２９】
PGW_A30は、ベアラリソースコマンドメッセージの受信、及び／又は、モビリティタイプの決定に基づいて、SGW_A35にベアラ更新要求メッセージを送信する(S2410)。
【０５３０】
PGW_A30は、すくなくとも第10の識別情報をベアラ更新要求メッセージに含めてもよい。
【０５３１】
なお、ベアラ更新要求メッセージは、ベアラリソースコマンドメッセージに対応する応答メッセージであってもよい。
【０５３２】
SGW_A35は、ベアラ更新要求メッセージを受信する。さらに、SGW_A35は、ベアラ更新要求メッセージの受信に基づいて、第10の識別情報を取得する。
【０５３３】
SGW_A35は、ベアラ更新要求メッセージの受信に基づいて、MME_A40にベアラ更新要求メッセージを送信する(S2412)。
【０５３４】
SGW_A35は、すくなくとも第10の識別情報をベアラ更新要求メッセージに含めてもよい。
【０５３５】
MME_A40は、ベアラ更新要求メッセージを受信する。さらに、MME_A40は、ベアラ更新要求メッセージの受信に基づいて、第10の識別情報を取得する。
【０５３６】
MME_A40は、ベアラ更新要求メッセージの受信に基づいて、eNB_A45にEPSベアラコンテキスト変更要求メッセージを送信する(S2414)。
【０５３７】
MME_A40は、すくなくとも第10の識別情報をEPSベアラコンテキスト変更要求メッセージに含めてもよい。
【０５３８】
なお、EPSベアラコンテキスト変更要求メッセージは、ベアラリソース変更要求メッセージに対する応答メッセージであってよい。
【０５３９】
eNB_A45は、EPSベアラコンテキスト変更要求メッセージを受信し、EPSベアラコンテキスト変更要求メッセージを含めたRRCメッセージをUE_A10に送信する(S2416)。なお、RRCメッセージは、RRCコネクション再設定要求メッセージであってよい。
【０５４０】
UE_A10は、EPSベアラコンテキスト変更要求メッセージを含むRRCメッセージを受信する。さらに、第10の識別情報がEPSベアラコンテキスト変更要求メッセージに含まれている場合には、UE_A10は各識別情報を取得する。
【０５４１】
UE_A10は、EPSベアラコンテキスト変更要求メッセージの受信、及び／又は、EPSベアラコンテキスト変更要求メッセージに含まれる情報に基づいて、UE_A10のモビリティタイプの変更の承認、及び／又は、変更後のUE_A10のモビリティタイプを認識してもよい。
【０５４２】
より詳細には、UE_A10は、第10の識別情報の受信に基づいて、UE_A10のモビリティタイプの変更が承認されたことを認識してもよい。
【０５４３】
また、UE_A10は、受信した第10の識別情報が示すモビリティタイプを変更後のUE_A10のモビリティタイプとして認識してもよい。
【０５４４】
また、受信したRRCメッセージに応答するために、UE_A10はRRCメッセージをeNB_A45に送信する(S2418)。RRCメッセージは、RRCコネクション再設定完了メッセージであってよい。
【０５４５】
eNB_A45は、RRCコネクション再設定メッセージを受信し、受信に基づいてベアラ設定メッセージをMME_A40に送信する(S2420)。
【０５４６】
また、UE_A10は、EPSベアラコンテキスト変更要求メッセージの受信に基づいて、EPSベアラコンテキスト変更受諾メッセージを含むRRCメッセージをeNB_A45に送信する(S2422)。ここで、EPSベアラコンテキスト変更受諾メッセージは、EPSベアラコンテキスト変更要求メッセージに対する応答メッセージであってよい。
【０５４７】
なお、EPSベアラコンテキスト変更受諾メッセージを含めて送信するRRCメッセージは、Direct Transferメッセージであってよい。
【０５４８】
eNB_45は、EPSベアラコンテキスト変更受諾メッセージが含まれるRRCメッセージを受信し、EPSベアラコンテキスト変更受諾メッセージをMME_A40に送信する(S2424)。
【０５４９】
MME_A40は、EPSベアラコンテキスト変更受諾メッセージを受信する。
【０５５０】
MME_A40は、EPSベアラコンテキスト変更受諾メッセージの受信に基づいて、SGW_A35にベアラ変更応答メッセージを送信してもよい(S2426)。
【０５５１】
なお、ベアラ変更応答メッセージは、ベアラ変更要求メッセージに対する応答メッセージであってもよい。
【０５５２】
SGW_A35は、ベアラ変更応答メッセージを受信する。
【０５５３】
SGW_A35は、ベアラ変更応答メッセージの受信に基づいて、PGW_A30にベアラ変更応答メッセージを送信する(S2428)。
【０５５４】
PGW_A30は、ベアラ変更応答メッセージを受信する。
【０５５５】
以上の手順により、UE_A10、及び／又は、コアネットワーク_A90は、第1のモビリティタイプ変更手続きを完了する。第1のモビリティタイプ変更手続きの完了に伴い、UE_A10、及び／又は、コアネットワーク_A90は、UE_A10のモビリティタイプを変更してもよい。
【０５５６】
なお、UE_A10は、第1のモビリティタイプ変更手続きにより、受信した変更後のUE_A10のモビリティタイプを、図21(b)〜(d)の何れかで説明したUEコンテキストに記憶することができる。
【０５５７】
より詳細には、UE_A10は、第1のモビリティタイプ変更手続きにより、変更後のUE_A10のモビリティタイプをコアネットワーク_A90から取得し、PDNコネクションごとのUEコンテキスト、及び／又は、ベアラごとのUEコンテキストに記憶することができる。
【０５５８】
また、MME_A40は、第1のモビリティタイプ手続きにより、変更後のUE_A10のモビリティタイプを、PDNコネクションごとのMMEコンテキスト、及び／又は、ベアラごとのMMEコンテキストに記憶することができる。
【０５５９】
また、SGW_A35、及び／又は、PGW_A30は、第1のモビリティタイプ手続きにより、変更後のUE_A10のモビリティタイプを、PDNコネクションごとのEPSベアラコンテキスト、及び／又は、EPSベアラごとのEPSベアラコンテキストに記憶することができる。
【０５６０】
[1.3.2.2.第2のモビリティタイプ変更手続き例]
第2のモビリティタイプ変更手続きは、コアネットワーク_A90主導のモビリティタイプ変更手続きである。
【０５６１】
以下、図25を用いて第2のモビリティタイプ変更手続きの手順の例を説明する。
【０５６２】
MME_A40は、SGW_A35にベアラリソースコマンドメッセージを送信してもよい(S2504)。
【０５６３】
MME_A40は、すくなくとも第9の識別情報をベアラリソースコマンドメッセージに含めて送信してもよい。
【０５６４】
MME_A40は、第9の識別情報を含めてベアラリソースコマンドメッセージを送信することにより、UE_A10のモビリティタイプの変更を要求してもよいし、要求する変更後のUE_A10のモビリティタイプを示してもよい。
【０５６５】
例えば、MME_A40は、UE_A10のモビリティタイプを、第1から第7のタイプのいずれかのタイプ、及び／又は、第1から第7のタイプの内任意のものを組合せたタイプへ変更することを要求してもよいし、第1から第7のタイプのいずれかのタイプではなくそれ以外のタイプへ変更することを要求してもよい。
【０５６６】
SGW_A35は、ベアラリソースコマンドメッセージを受信する。さらに、SGW_A35は、ベアラリソースコマンドメッセージの受信に基づいて、第9の識別情報を取得する。
【０５６７】
SGW_A35は、ベアラリソースコマンドメッセージの受信に基づいて、PGW_A30にベアラリソースコマンドメッセージを送信してもよい(S2506)。
【０５６８】
SGW_A35は、すくなくとも第9の識別情報をベアラリソースコマンドメッセージに含めて送信してもよい。
【０５６９】
PGW_A30は、ベアラリソースコマンドメッセージを受信する。さらに、PGW_A30は、ベアラリソースコマンドメッセージの受信に基づいて、第9の識別情報を取得する。
【０５７０】
PGW_A30は、ベアラリソースコマンドメッセージの受信に基づいて、SGW_A35にベアラ更新要求メッセージを送信する(S2510)。
【０５７１】
PGW_A30は、すくなくとも第9の識別情報をベアラ更新要求メッセージに含めてもよい。
【０５７２】
なお、PGW_A30は、ベアラリソースコマンドメッセージの受信に基づかず、オペレータポリシーや加入者情報に基づいて、SGW_A35にベアラ更新要求メッセージを送信してもよい。
【０５７３】
言い換えると、PGW_A30は、ベアラリソースコマンドメッセージの受信に基づかず、オペレータポリシーや加入者情報に基づいて、第2のモビリティタイプ変更手続きを開始してもよい。
【０５７４】
その場合、MME_A40、及び／又は、SGW_A35、及び／又は、PGW_A30が送受信するベアラリソースコマンドメッセージは省略することができる。
【０５７５】
また、PGW_A30は、第9の識別情報を含めてベアラ更新要求メッセージを送信することにより、UE_A10のモビリティタイプの変更を要求してもよいし、要求する変更後のUE_A10のモビリティタイプを示してもよい。
【０５７６】
例えば、PGW_A30は、UE_A10のモビリティタイプを、第1から第7のタイプのいずれかのタイプ、及び／又は、第1から第7のタイプの内任意のものを組合せたタイプへ変更することを要求してもよいし、第1から第7のタイプのいずれかのタイプではなくそれ以外のタイプへ変更することを要求してもよい。
【０５７７】
SGW_A35は、ベアラ更新要求メッセージを受信する。さらに、SGW_A35は、ベアラ更新要求メッセージの受信に基づいて、第9の識別情報を取得する。
【０５７８】
SGW_A35は、ベアラ更新要求メッセージの受信に基づいて、MME_A40にベアラ更新要求メッセージを送信する(S2512)。
【０５７９】
SGW_A35は、すくなくとも第9の識別情報をベアラ更新要求メッセージに含めてもよい。
【０５８０】
MME_A40は、ベアラ更新要求メッセージを受信する。さらに、MME_A40は、ベアラ更新要求メッセージの受信に基づいて、第9の識別情報を取得する。
【０５８１】
MME_A40は、ベアラ更新要求メッセージの受信に基づいて、eNB_A45にEPSベアラコンテキスト変更要求メッセージを送信する(S2514)。
【０５８２】
MME_A40は、すくなくとも第9の識別情報をEPSベアラコンテキスト変更要求メッセージに含めてもよい。
【０５８３】
MME_A40は、第9の識別情報を含めてEPSベアラコンテキスト変更要求メッセージを送信することにより、UE_A10のモビリティタイプの変更を要求してもよいし、要求する変更後のUE_A10のモビリティタイプを示してもよい。
【０５８４】
なお、第9の識別情報は、MME_A40、及び／又は、PGW_A30がUE_A10に以前送信した第2の識別情報、及び／又は、第4の識別情報、及び／又は、第6の識別情報が示すモビリティタイプとは異なるモビリティタイプを示す情報であってよい。
【０５８５】
また、第9の識別情報は、MME_A40、及び／又は、PGW_A30が記憶している第2の識別情報、及び／又は、第4の識別情報、及び／又は、第6の識別情報が示すモビリティタイプとは異なるモビリティタイプを示す情報であってよい。
【０５８６】
eNB_A45は、EPSベアラコンテキスト変更要求メッセージを受信し、EPSベアラコンテキスト変更要求メッセージを含めたRRCメッセージをUE_A10に送信する(S2516)。なお、RRCメッセージは、RRCコネクション再設定要求メッセージであってよい。
【０５８７】
UE_A10は、EPSベアラコンテキスト変更要求メッセージを含むRRCメッセージを受信する。さらに、第9の識別情報がEPSベアラコンテキスト変更要求メッセージに含まれている場合には、UE_A10は各識別情報を取得する。
【０５８８】
UE_A10は、EPSベアラコンテキスト変更要求メッセージの受信、及び／又は、EPSベアラコンテキスト変更要求メッセージに含まれる情報、及び／又は、UE_A10がもつ識別情報に基づいて、UE_A10のモビリティタイプの変更、及び／又は、変更後のUE_A10のモビリティタイプを決定してもよい。
【０５８９】
例えば、UE_A10は、第9の識別情報で示されたモビリティタイプを、変更後のUE_A10のモビリティタイプとして決定してもよい。
【０５９０】
また、UE_A10は、第9の識別情報で示されたモビリティタイプではなく、UE_A10が望むモビリティタイプを、変更後のUE_A10のモビリティタイプとして決定してもよい。
【０５９１】
なお、UE_A10は、UE_A10のモビリティタイプとして、第1から第7のタイプのいずれかのタイプ、及び／又は、第1から第7のタイプの内任意のものを組合せたタイプを示してもよい。
【０５９２】
また、UE_A10は、UE_A10のモビリティタイプとして、第1から第7のタイプのいずれかのタイプではなくそれ以外のタイプを示してよい。
【０５９３】
なお、UE_A10のモビリティタイプは、PDNコネクションに対応するモビリティタイプであってもよく、デフォルトベアラに対応するモビリティタイプであってもよい。
【０５９４】
また、UE_A10は、変更後のUE_A10のモビリティタイプを、第10の識別情報に含めて送信してもよい。
【０５９５】
なお、UE_A10のモビリティタイプの変更方法は、上記に限らない。
【０５９６】
また、受信したRRCメッセージに応答するために、UE_A10はRRCメッセージをeNB_A45に送信する(S2518)。RRCメッセージは、RRCコネクション再設定完了メッセージであってよい。
【０５９７】
eNB_A45は、RRCコネクション再設定メッセージを受信し、受信に基づいてベアラ設定メッセージをMME_A40に送信する(S2520)。
【０５９８】
また、UE_A10は、EPSベアラコンテキスト変更要求メッセージの受信に基づいて、EPSベアラコンテキスト変更受諾メッセージを含むRRCメッセージをeNB_A45に送信する(S2522)。
【０５９９】
UE_A10、すくなくとも第10の識別情報をEPSベアラコンテキスト変更受諾メッセージに含めて送信してもよい。
【０６００】
ここで、EPSベアラコンテキスト変更受諾メッセージは、EPSベアラコンテキスト変更要求メッセージに対する応答メッセージであってよい。
【０６０１】
なお、EPSベアラコンテキスト変更受諾メッセージを含めて送信するRRCメッセージは、Direct Transferメッセージであってよい。
【０６０２】
eNB_45は、EPSベアラコンテキスト変更受諾メッセージが含まれるRRCメッセージを受信し、EPSベアラコンテキスト変更受諾メッセージをMME_A40に送信する(S2524)。
【０６０３】
MME_A40は、EPSベアラコンテキスト変更受諾メッセージを受信する。さらに、MME_A40は、EPSベアラコンテキスト変更受諾メッセージの受信に基づいて、第10の識別情報を取得する。
【０６０４】
MME_A40は、EPSベアラコンテキスト変更受諾メッセージの受信、及び／又は、EPSベアラコンテキスト変更受諾メッセージに含まれる情報に基づいて、UE_A10のモビリティタイプの変更の承認、及び／又は、変更後のUE_A10のモビリティタイプを認識してもよい。
【０６０５】
より詳細には、MME_A40は、第10の識別情報の受信に基づいて、UE_A10のモビリティタイプの変更が承認されたことを認識してもよい。
【０６０６】
また、MME_A40は、受信した第10の識別情報が示すモビリティタイプを変更後のUE_A10のモビリティタイプとして認識してもよい。
【０６０７】
MME_A40は、EPSベアラコンテキスト変更受諾メッセージの受信に基づいて、SGW_A35にベアラ変更応答メッセージを送信する(S2526)。
【０６０８】
MME_A40、すくなくとも第10の識別情報をベアラ変更応答メッセージに含めて送信してもよい。
【０６０９】
なお、ベアラ変更応答メッセージは、ベアラ変更要求メッセージに対する応答メッセージであってもよい。
【０６１０】
SGW_A35は、ベアラ変更応答メッセージを受信する。さらに、SGW_A35は、ベアラ変更応答メッセージの受信に基づいて、第10の識別情報を取得する。
【０６１１】
SGW_A35は、ベアラ変更応答メッセージの受信に基づいて、PGW_A30にベアラ変更応答メッセージを送信する(S2528)。
【０６１２】
SGW_A35は、すくなくとも、第10の識別情報をベアラ変更応答メッセージに含めて送信してもよい。
【０６１３】
PGW_A30は、ベアラ変更応答メッセージを受信する。さらに、PGW_A30は、ベアラ変更応答メッセージの受信に基づいて、第10の識別情報を取得する。
【０６１４】
PGW_A30は、EPSベアラコンテキスト変更受諾メッセージの受信、及び／又は、EPSベアラコンテキスト変更受諾メッセージに含まれる情報に基づいて、UE_A10のモビリティタイプの変更の承認、及び／又は、変更後のUE_A10のモビリティタイプを認識してもよい。
【０６１５】
より詳細には、PGW_A30は、第10の識別情報の受信に基づいて、UE_A10のモビリティタイプの変更が承認されたことを認識してもよい。
【０６１６】
また、PGW_A30は、受信した第10の識別情報が示すモビリティタイプを変更後のUE_A10のモビリティタイプとして認識してもよい。
【０６１７】
以上の手順により、UE_A10、及び／又は、コアネットワーク_A90は、第2のモビリティタイプ変更手続きを完了する。第2のモビリティタイプ変更手続きの完了に伴い、UE_A10、及び／又は、コアネットワーク_A90は、UE_A10のモビリティタイプを変更してもよい。
【０６１８】
なお、UE_A10は、第2のモビリティタイプ変更手続きにより、変更後のUE_A10のモビリティタイプを、図21(b)〜(d)の何れかで説明したUEコンテキストに記憶することができる。
【０６１９】
より詳細には、UE_A10は、第2のモビリティタイプ変更手続きにより、変更後のUE_A10のモビリティタイプを、PDNコネクションごとのUEコンテキスト、及び／又は、ベアラごとのUEコンテキストに記憶することができる。
【０６２０】
また、MME_A40は、第2のモビリティタイプ変更手続きにより、変更後のUE_A10のモビリティタイプをUE_A10から取得し、PDNコネクションごとのMMEコンテキスト、及び／又は、ベアラごとのMMEコンテキストに記憶することができる。
【０６２１】
また、SGW_A35、及び／又は、PGW_A30は、第2のモビリティタイプ変更手続きにより、変更後のUE_A10のモビリティタイプをUE_A10から取得し、PDNコネクションごとのEPSベアラコンテキスト、及び／又は、EPSベアラごとのEPSベアラコンテキストに記憶することができる。
【０６２２】
[1.3.2.3.モビリティタイプ変更手続きの変形例]
上述したモビリティタイプ変更手続き例におけるコアネットワーク_A90は、図2を用いて説明したMME_A40、SGW_A35、PGW_A30を含む構成のコアネットワークの場合の送受信方法変更手続きを説明したが、コアネットワーク_A90は別の装置を含んで構成されるものであってもよい。
【０６２３】
その場合、本手続きで説明したUE_A10が送信するベアラリソース変更要求メッセージやEPSベアラコンテキスト変更受諾メッセージなどのNASメッセージは、MME_A40ではなく、コアネットワーク_A90内の装置が受信する。
【０６２４】
したがって、これまで説明したMME_A40のNASメッセージの受信及び処理は、コアネットワーク_A90内の装置が行うものとして置き換えることができる。
【０６２５】
さらに、これまで説明したMME_A40のEPSベアラコンテキスト変更要求メッセージなどのNASメッセージの送信及び処理は、コアネットワーク_A90内の装置が行うものとして置き換えることができる。
【０６２６】
[1.3.3.ハンドオーバー手続き例]
UE_A10、及び／又は、コアネットワーク_A90は、UE_A10のモビリティタイプをもとに、ハンドオーバー手続きを行ってよい。
【０６２７】
例えば、アクティブモードのハンドオーバーをサポートするモビリティタイプにより接続した場合、UE_A10は、ハンドオーバー手続きを実行し、異なる基地局接続を切り替えて通信を継続してもよい。
【０６２８】
また、アクティブモードのハンドオーバーを許可しないモビリティタイプにより接続した場合、UE_A10は、ハンドオーバー手続きにおいて、コアネットワーク_A90から通信を切断するための制御メッセージを受信するなどして、PDNコネクションの切断、又はコアネットワーク_A90からのデタッチを実行してもよい。なお、その際には、UE_A10はUEコンテキストを削除してもよい。一方で、MME_A40は、UE_A10に対するMMEコンテキストを削除してもよい。
【０６２９】
例えば、アクティブモードのハンドオーバーをサポートするモビリティタイプにより接続した場合、UE_A10は、ハンドオーバー手続きを実行し、異なる基地局接続を切り替えて通信を継続してもよい。
【０６３０】
また、アクティブモードのハンドオーバーを許可しないモビリティタイプにより接続した場合、UE_A10は、ハンドオーバー手続きにおいて、コアネットワーク_A90から通信を切断するための制御メッセージを受信するなどして、PDNコネクションの切断、又はコアネットワーク_A90からのデタッチを実行してもよい。なお、その際には、UE_A10はUEコンテキストを削除してもよい。一方で、MME_A40は、UE_A10に対するMMEコンテキストを削除してもよい。
【０６３１】
また、PDNコネクション毎に異なるモビリティタイプを決定している場合には、UE_A10はハンドオーバー時にPDNコネクション毎に異なる処理を行ってもよい。
【０６３２】
例えば、アクティブモードのハンドオーバーをサポートするモビリティタイプにより確立したPDNコネクションに対しては、UE_A10は、ハンドオーバー手続きを実行し、異なる基地局接続を切り替えて通信を継続してもよい。
【０６３３】
また、アクティブモードのハンドオーバーを許可しないモビリティタイプにより確立したPDNコネクションに対しては、UE_A10は、ハンドオーバー手続きにおいて、コアネットワーク_A90から通信を切断するための制御メッセージを受信するなどして、PDNコネクションを切断してもよい。
【０６３４】
その際、コアネットワーク_A90は、切断するPDNコネクションを識別する情報を制御メッセージに含めて送信してもよい。なお、制御メッセージを送信するコアネットワーク_A90内の制御装置は、MME_A40であってよい。UE_A10は、受信した情報に基づいて切断するPDNコネクションを識別してもよい。
【０６３５】
ここで、PDNコネクションを識別する情報は、ベアラID、及び/又はAPN、及び/又はIPアドレスなどであってもよい。
【０６３６】
もしくは、PDNコネクションを識別する情報は、モビリティタイプであってもよい。UE_A10はモビリティタイプを受信し、受信したモビリティタイプに適合するPDNコネクションを、UEコンテキストを基に選択してもよい。
【０６３７】
また、PDNコネクションの切断する際には、UE_A10はUEコンテキストのうち、切断するPDNコネクションに対応する情報を削除してもよい。一方で、MME_A40は、UE_A10に対するMMEコンテキストのうち、切断するPDNコネクションに対応する情報を削除してもよい。
【０６３８】
例えば、アクティブモードのハンドオーバーをサポートするモビリティタイプにより接続した場合、UE_A10は、ハンドオーバー手続きを実行し、異なる基地局接続を切り替えて通信を継続してもよい。
【０６３９】
また、アクティブモードのハンドオーバーを許可しないモビリティタイプにより接続した場合、UE_A10は、ハンドオーバー手続きにおいて、コアネットワーク_A90から通信を切断するための制御メッセージを受信するなどして、PDNコネクションの切断、又はコアネットワーク_A90からのデタッチを実行してもよい。なお、その際には、UE_A10はUEコンテキストを削除してもよい。一方で、MME_A40は、UE_A10に対するMMEコンテキストを削除してもよい。
【０６４０】
なお、こうしたPDNコネクションを削除するための制御メッセージ及び/又はUE_A10がデタッチするための制御メッセージは、ハンドオーバーおいてコアネットワーク_A90がUE_A10に送信する制御メッセージでなくてもよい。
【０６４１】
例えば、UE_A10が送信するトラッキングエリア更新要求に対する応答メッセージであってもよいし、デタッチ要求メッセージであってもよいし、ベアラ削除要求メッセージであってもよい。
【０６４２】
さらに、UE_A10は、移動に伴い接続する基地局が変更した場合には、アクティブモードのハンドオーバーを許可しないモビリティタイプ、及び/又はアイドルモードのハンドオーバーを許可しないモビリティタイプのPDNコネクションを削除してもよい。さらに、PDNコネクションの削除においては、UEコンテキストに含まれる、削除するPDNコネクションに対応する情報は削除してもよい。なお、こうしたPDNコネクションに対応する情報は、ベアラIDやIPアドレスやAPNなどであってよい。
【０６４３】
以上のように、モビリティタイプに応じた通信制御を実行してもよい。
【０６４４】
[2.変形例]
本発明に関わる装置で動作するプログラムは、本発明に関わる実施形態の機能を実現するように、Central Processing Unit(CPU)等を制御してコンピュータを機能させるプログラムであってもよい。プログラムあるいはプログラムによって取り扱われる情報は、一時的にRandom Access Memory(RAM)などの揮発性メモリあるいはフラッシュメモリなどの不揮発性メモリやHard Disk Drive(HDD)、あるいはその他の記憶装置システムに格納される。
【０６４５】
尚、本発明に関わる実施形態の機能を実現するためのプログラムをコンピュータが読み取り可能な記録媒体に記録してもよい。この記録媒体に記録されたプログラムをコンピュータシステムに読み込ませ、実行することによって実現してもよい。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体、短時間動的にプログラムを保持する媒体、あるいはコンピュータが読み取り可能なその他の記録媒体であってもよい。
【０６４６】
また、上述した実施形態に用いた装置の各機能ブロック、又は諸特徴は、電気回路、たとえば、集積回路あるいは複数の集積回路で実装又は実行され得る。本明細書で述べられた機能を実行するように設計された電気回路は、汎用用途プロセッサ、デジタルシグナルプロセッサ(DSP)、特定用途向け集積回路(ASIC)、フィールドプログラマブルゲートアレイ(FPGA)、又はその他のプログラマブル論理デバイス、ディスクリートゲート又はトランジスタロジック、ディスクリートハードウェア部品、又はこれらを組み合わせたものを含んでよい。汎用用途プロセッサは、マイクロプロセッサであってもよいし、従来型のプロセッサ、コントローラ、マイクロコントローラ、又はステートマシンであってよい。前述した電気回路は、デジタル回路で構成されていてもよいし、アナログ回路で構成されていてもよい。また、半導体技術の進歩により現在の集積回路に代替する集積回路化の技術が出現した場合、本発明は当該技術による新たな集積回路を用いることも可能である。
【０６４７】
なお、本願発明は上述の実施形態に限定されるものではない。実施形態では、装置の一例を記載したが、本願発明は、これに限定されるものではなく、屋内外に設置される据え置き型、又は非可動型の電子機器、たとえば、AV機器、キッチン機器、掃除・洗濯機器、空調機器、オフィス機器、自動販売機、その他生活機器などの端末装置もしくは通信装置に適用出来る。
【０６４８】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０６４９】
1 通信システム
5 PDN_A
10 UE_A
20 UTRAN_A
22 eNB(UTRAN)_A
24 RNC_A
25 GERAN_A
26 BSS_A
30 PGW_A
35 SGW_A
40 MME_A
45 eNB_A
50 HSS_A
55 AAA_A
60 PCRF_A
65 ePDG_A
70 WLAN ANa
72 WLAN APa
74 TWAG_A
75 WLAN ANb
76 WLAN APb
80 LTE AN_A
90 コアネットワーク_A
100 CIOT AN_A
【図１】
2017141990.tif 000003
【図２】
2017141990.tif 000004
【図３】
2017141990.tif 000005
【図４】
2017141990.tif 000006
【図５】
2017141990.tif 000007
【図６】
2017141990.tif 000008
【図７】
2017141990.tif 000009
【図８】
2017141990.tif 000010
【図９】
2017141990.tif 000011
【図１０】
2017141990.tif 000012
【図１１】
2017141990.tif 000013
【図１２】
2017141990.tif 000014
【図１３】
2017141990.tif 000015
【図１４】
2017141990.tif 000016
【図１５】
2017141990.tif 000017
【図１６】
2017141990.tif 000018
【図１７】
2017141990.tif 000019
【図１８】
2017141990.tif 000020
【図１９】
2017141990.tif 000021
【図２０】
2017141990.tif 000022
【図２１】
2017141990.tif 000023
【図２２】
2017141990.tif 000024
【図２３】
2017141990.tif 000025
【図２４】
2017141990.tif 000026
【図２５】
2017141990.tif 000027
【国際調査報告】
2017141990.tif 000028
2017141990.tif 000029
2017141990.tif 000030
2017141990.tif 000031